(57)【要約】      （修正有）【課題】操作部の操作性を損なうことなく操作部箇所に大型の立体的装飾物を配置でき、前面枠の設計自由度を向上できる遊技機を提供する。【解決手段】遊技機の前面側での所定箇所に配設された、遊技球の発射時に遊技者によって操作される操作部と、遊技機の前面側での所定箇所と異なる箇所に配設された、少なくとも、操作部の操作によって発射される遊技球を貯留する貯留部と、貯留部を囲う部品とを含む前側配設部品と、操作部よりも大きい立体的装飾物の立体的外形を形作る外形体部品を備え、外形体部品は、遊技機の上面視で、操作部の少なくとも一部と重なるように遊技機の前方に向けて突出した突出領域部を備え、外形体部品は、前側配設部品の上端よりも上方から前側配設部品の側方に向けて延出するように形成されている。【選択図】図２５
2020185425.tif 000002
【特許請求の範囲】
【請求項１】
遊技機の前面側での所定箇所に配設された、遊技球の発射時に遊技者によって操作される操作部と、
遊技機の前面側での前記所定箇所と異なる箇所に配設された、少なくとも、前記操作部の操作によって発射される遊技球を貯留する貯留部と、該貯留部を囲う部品とを含む前側配設部品と、
前記操作部よりも大きい立体的装飾物の立体的外形を形作る外形体部品を備え、
前記外形体部品は、当該遊技機の上面視で、前記操作部の少なくとも一部と重なるように当該遊技機の前方に向けて突出した突出領域部を備え、
前記外形体部品は、前記前側配設部品の上端よりも上方から前記前側配設部品の側方に向けて延出するように形成されている
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、その前面側に位置する前面枠の正面視右下隅部箇所に、遊技者によって操作される発射ハンドルなどの操作部を備えている（例えば、特許文献１参照）。
【先行技術文献】
【特許文献】
【０００３】
【特許文献１】特開２００９−２８４９４６号公報（第４−５頁，第１−２図）
【発明の開示】
【発明が解決しようとする課題】
【０００４】
しかしながら、このような構成を有する従来例の場合には、次のような問題がある。
すなわち、従来のパチンコ機では、例えば前面枠の操作部の配設箇所に、大型の立体的装飾物を配設することができないため、前面枠の設計自由度が制限されるという問題がある。
【０００５】
本発明は、このような事情等に鑑みてなされたものであって、操作部の操作性を損なうことなく操作部箇所に大型の立体的装飾物を配置でき、前面枠の設計自由度を向上できる遊技機を提供することを目的とする。
【課題を解決するための手段】
【０００６】
この発明は、このような目的を達成するために、次のような構成をとる。
すなわち、請求項１に記載の発明は、
遊技機の前面側での所定箇所に配設された、遊技球の発射時に遊技者によって操作される操作部と、
遊技機の前面側での前記所定箇所と異なる箇所に配設された、少なくとも、前記操作部の操作によって発射される遊技球を貯留する貯留部と、該貯留部を囲う部品とを含む前側配設部品と、
前記操作部よりも大きい立体的装飾物の立体的外形を形作る外形体部品を備え、
前記外形体部品は、当該遊技機の上面視で、前記操作部の少なくとも一部と重なるように当該遊技機の前方に向けて突出した突出領域部を備え、
前記外形体部品は、前記前側配設部品の上端よりも上方から前記前側配設部品の側方に向けて延出するように形成されている
ことを特徴とするものである。
【０００７】
［作用・効果］請求項１に記載の発明によれば、操作部の操作性を損なうことなく操作部箇所に大型の立体的装飾物を配置でき、前面枠の設計自由度を向上できる。
【発明の効果】
【０００８】
この発明に係る遊技機によれば、操作部の操作性を損なうことなく操作部箇所に大型の立体的装飾物を配置でき、前面枠の設計自由度を向上できる遊技機を提供することができる。
【図面の簡単な説明】
【０００９】
【図１】本発明の実施例１のパチンコ機の正面図である。
【図２】パチンコ機の前方斜視図である。
【図３】パチンコ機の背面図である。
【図４】パチンコ機の右側面図である。
【図５】パチンコ機の左側面図である。
【図６】パチンコ機の平面図である。
【図７】パチンコ機の底面図である。
【図８】遊技盤の正面図である。
【図９】パチンコ機の電気的構成を示すブロック図である。
【図１０】第３図柄表示装置の表示内容を示す説明図である。
【図１１】実施例１の前面枠セットの前方斜視図である。
【図１２】実施例１の前面枠セットの後方斜視図である。
【図１３】実施例１の前面枠セットの背面図である。
【図１４】前面枠セットの大型立体キャラクタ部についての分解斜視図である。
【図１５】大型立体キャラクタ部の取付前状態の前面枠セットの前方斜視図である。
【図１６】大型立体キャラクタ部の分解斜視図である。
【図１７】大型立体キャラクタ部の突出体部の分解斜視図である。
【図１８】突出体部の上部外壁部の分解斜視図である。
【図１９】大型立体キャラクタ部の取付ベースなどの分解斜視図である。
【図２０】大型立体キャラクタ部の外形本体と遊技球発射ハンドルと取付ベースとを示す斜視図である。
【図２１】前面枠セットでの大型立体キャラクタ部の取付前箇所の拡大斜視図である。
【図２２】前面枠セットの大型立体キャラクタ部の箇所の拡大正面図である。
【図２３】図２２に示した前面枠セットのＡ−Ａ線断面図である。
【図２４】図２２に示した前面枠セットのＢ−Ｂ線断面図である。
【図２５】前面枠セットの正面図である。
【図２６】図２５に示した前面枠セットのＣ−Ｃ線断面図である。
【図２７】ガラスユニットが開状態であって補強棒及び球皿払出通路部品の取り付け前状態を示す前面枠セットの後方斜視図である。
【図２８】図２７に示した前面枠セットの下部側部分を示す部分後方斜視図である。
【図２９】補強棒及び球皿払出通路部品を示す後方斜視図である。
【図３０】補強棒が取り付けられて球皿払出通路部品が取り付け前状態の前面枠セットの後方斜視図である。
【図３１】ガラスユニットが開状態であって補強棒及び球皿払出通路部品が取り付けられた状態を示す前面枠セットの後方斜視図である。
【図３２】下部止め部がガラスユニットを閉状態に止める止め位置にある状態の前面枠セットの背面図である。
【図３３】下部止め部が非止め位置にある状態の前面枠セットの背面図である。
【図３４】下部止め部が止め位置にあり球皿払出通路部品を取り外した状態の前面枠セットの背面図である。
【図３５】下部止め部が非止め位置で球皿払出通路部品を取り外した状態の前面枠セットの背面図である。
【図３６】（ａ）は図３２の一点鎖線部分の拡大図、（ｂ）は図３３の一点鎖線部分の拡大図である。
【図３７】（ａ）は図３４の一点鎖線部分の拡大図、（ｂ）は図３５の一点鎖線部分の拡大図である。
【図３８】図３２に示した前面枠セットのＤ−Ｄ線断面図である。
【図３９】図３３に示した前面枠セットのＥ−Ｅ線断面図である。
【図４０】前面枠セットの背面図である。
【図４１】図４０に示した前面枠セットのＦ−Ｆ線断面図である。
【図４２】図４０に示した前面枠セットのＧ−Ｇ線断面図である。
【図４３】前面枠セットの前面側の上部箇所を分解した分解斜視図である。
【図４４】実施例１の外枠の下部側部分を示す一部破断前方斜視図である。
【図４５】図４４の進入防止壁部品に注意シールを貼り付ける前の図である。
【図４６】実施例１の外枠の下部側部分を示す一部破断後方斜視図である。
【図４７】実施例１の幕板の天面側の分解斜視図である。
【図４８】実施例１の外枠の幕板の平面図である。
【図４９】（ａ）は外枠の幕板の正面図、（ｂ）は外枠の幕板の背面図である。
【図５０】パチンコ機の背面視下部側を示す部分背面図である。
【図５１】図５０に示したＨ−Ｈ線で断面した一部破断斜視図である。
【図５２】（ａ）は、遊技球が遊技球許容空間に入った状態を示す断面図であり、（ｂ）は、遊技球が遊技球許容空間に入っていない状態を示す断面図である。
【図５３】内枠の遊技球許容窪み空間部と幕板の進入防止壁部品の囲い壁部との位置関係を示す概略要部断面図である。
【発明を実施するための形態】
【００１０】
以下、パチンコ遊技機（以下、単に「パチンコ機」という）の各種の実施の形態を、図面に基づいて詳細に説明する。
【実施例１】
【００１１】
実施例１のパチンコ機を、図面に基づいて詳細に説明する。図１〜図７は、それぞれパチンコ機１０の正面図、前方斜視図、背面図、右側面図、左側面図、平面図及び底面図である。図８は、遊技盤３０の正面図である。図９は、パチンコ機１０の電気的構成を示すブロック図である。図１０は、第３図柄表示装置４２の表示内容を示す説明図である。
【００１２】
図１，図２に示すように、パチンコ機１０は、当該パチンコ機１０の外殻を形成し遊技場（ホール）の遊技島に固定される外枠１１と、この外枠１１の一側部（例えば正面視での左側部）を開閉軸Ｊ１として外枠１１に対して開閉可能に支持された内枠１２と、この内枠１２の一側部（例えば正面視での左側部）を開閉軸Ｊ２として内枠１２に対して開閉自在に取り付けられる前面枠セット１４とを備えている。
【００１３】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００１４】
内枠１２は、大別すると、その外形を形成する主要部材としての樹脂ベース１２ａ（図２参照）と、この樹脂ベース１２ａに取り付けられる遊技盤３０（図８参照）とを備えている。また、内枠１２は、図１，図２に示すように、樹脂ベース１２ａの前面側で片開き自在な前面枠セット１４を備えている。
【００１５】
具体的には、樹脂ベース１２ａは、正面視で、その外形が略矩形状で、かつ、その略中央箇所を開口中心とする開口部（後述する遊技領域３０ａ（図８参照）と同等の大きさの開口）が形成された板状部材としている。
【００１６】
前面枠セット１４は、正面視左側で上下方向の開閉軸Ｊ２を軸心にして当該内枠１２に対して開閉可能に取り付けられている。詳細には、前面枠セット１４は、正面視で左側を開閉基端側とし右側を開閉先端側として前方へ回動可能とされている。
【００１７】
遊技盤３０（図８参照）は、その遊技領域３０ａを樹脂ベース１２ａの開口部に位置させるようにして当該樹脂ベース１２ａの背面側より着脱自在に取り付けられる。
【００１８】
ここで、もう少し詳細に前面枠セット１４について説明する。
【００１９】
前面枠セット１４は、図１に示すように、内枠１２に対して開閉可能に取り付けられており、内枠１２と同様、パチンコ機１０の正面からみて左側に上下に延びる開閉軸Ｊ２を軸心にして前方側に開放可能とされている。
【００２０】
前面枠セット１４は、図１に示すように、その正面視すると、最下部に位置する下皿部１３と、この下皿部１３の上側に位置する上皿部２１と、この上皿部２１の上側に位置するガラス枠部２３と、下皿部１３及び上皿部２１の右側に位置する大型立体キャラクタ部２５とに大別される。
【００２１】
これらの下皿部１３、上皿部２１、ガラス枠部２３及び大型立体キャラクタ部２５を、前面枠セット１４の樹脂成形部品であるベース板体１４ａ（後述する図１１，図１２参照）の前面側各箇所にそれぞれ取り付けることで、前面枠セット１４が構成されている。なお、大型立体キャラクタ部２５の詳細については、図面を用いて後述することとする。
【００２２】
下皿部１３は、図１に示すように、下皿１５を形成する部品とその部品を囲う部品等とが一体化された部品であり、前面枠セット１４の最下部箇所に位置するように、ネジ等の締結具によりベース板体１４ａ（後述する図１１，図１２参照）の正面視で最下部箇所に固定されている。この下皿部１３は、その前面側に、下皿１５と球抜きレバー１７と遊技球発射ハンドル１８とを備えている。
【００２３】
球受皿としての下皿１５は、図１，図２に示すように、前面枠セット１４の横幅を略三等分した場合の左端から「２／３」にわたる箇所まで設けられており、排出口１６より排出された遊技球が下皿１５内に貯留可能である。球抜きレバー１７は、下皿１５内の遊技球を抜く（排出する）ためのものであり、この球抜きレバー１７を図１で左側に移動させることにより、下皿１５の底面の所定箇所（例えば略中央箇所）が開口され、下皿１５内に貯留された遊技球を下皿１５の底面の開口部分を通して下方向外部に抜くことができる。
【００２４】
遊技球発射ハンドル１８は、下皿１５よりも右方で手前側に突出して配設されている。遊技者による遊技球発射ハンドル１８の操作に応じて、発射装置２２９（図３、図９参照）によって遊技球が遊技盤３０（図８参照）の方へ打ち込まれる。
【００２５】
音出力部２４は、図１に示すように、前面枠セット１４の正面視で上部の左右２箇所に設けられ、その前面枠セット１４の内部あるいは背面箇所に設けられたスピーカからの音を出力するための複数個の出力口で形成されている。この出力口は、図１では一部のみ図示し、全体図示を省略している。
【００２６】
上皿部２１は、図１に示すように、上皿１９を形成する部品とその部品を囲う部品等とが一体化された部品であり、前面枠セット１４の下部箇所（前述の下皿１５の上方位置）に位置するように、ネジ等の締結具によりベース板体１４ａ（後述する図１１，図１２参照）の正面視で下部箇所に固定されており、遊技球の受皿としての上皿１９を備えている。ここで、上皿１９は、遊技球を一旦貯留し、一列に整列させながら発射装置２２９の方へ導出するための球受皿である。
【００２７】
ガラス枠部２３は、図１に示すように、上皿部２１の上側に形成された窓部１０１と、この窓部１０１の周囲に設けられた各種の電飾部とを備えている。
【００２８】
つまり、前面枠セット１４には、図１に示すように、上皿部２１の上側に位置するガラス枠部２３の中央箇所に、遊技盤３０の遊技領域３０ａ（図８参照）のほとんどを外部から視認することができるよう略縦長楕円形状の窓部１０１が形成されている。詳しくは、窓部１０１は、略縦長楕円形状で中央が空洞（開口部１０１ａ）となっており、その開口部１０１ａを略縦長楕円形状等のガラス板１３７で覆うように、図示省略のガラスユニットが前面枠セット１４の背面側に取り付けられたものである。後述する図１３，図２７に示すガラスユニット１４０は、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００２９】
さらに、ガラス枠部２３は、図１に示すように、窓部１０１の周囲に各種の電飾部（第１電飾部３００、第２電飾部３０２及び第３電飾部３０４）を備えている。つまり、前面枠セット１４は、図１に示すように、その正面視した状態で窓部１０１の周囲で左箇所に、ＬＥＤ等を内蔵した第１電飾部３００（左側電飾部）を、窓部１０１の周囲で右箇所に、ＬＥＤ等を内蔵した第２電飾部３０２（右側電飾部）を、窓部１０１の周囲で上箇所に、ＬＥＤ等を内蔵した第３電飾部３０４（上側電飾部）を備えている。これらの電飾部は、大当たり時や所定のリーチ時等における遊技状態の変化に応じて点灯、点滅のように発光態様が変更制御され遊技中の演出効果を高める役割を果たすものである。
【００３０】
本パチンコ機１０では、第１電飾部３００、第２電飾部３０２及び第３電飾部３０４は、大当たりランプとして機能し、大当たり時に点灯や点滅を行うことにより、大当たり中であることを報知する。その他、本パチンコ機１０の第１電飾部３００及び第２電飾部３０２には、賞球払出し中に点灯する賞球ランプ１０５と、所定のエラー時に点灯するエラー表示ランプ１０６とが備えられている。また、窓部１０１の周縁で右斜め下箇所には、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００３１】
また、窓部１０１の右下方の大型立体キャラクタ部２５には貸球操作部１２０が配設されており、貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００３２】
遊技盤３０は、図８に示すように、正面視で四角形状の木製（例えば、合板）でその左側の両角部が取れたような形状の遊技板３０ｂを備えており、その周縁部（後述するレール５１，５２の外側部分）が内枠１２の樹脂ベース１２ａ（図２参照）の裏側に当接した状態で取り付けられている。この遊技盤３０の前面側の略中央部分たる遊技領域３０ａは、前面枠セット１４のベース板体１４ａの略楕円形状の図１に示した窓部１０１（ガラス板１３７）を通じて、当該前面枠セット１４の前方外側から視認可能な状態である。
【００３３】
次に、図８を用いて遊技盤３０の構成を説明する。遊技盤３０は、一般入賞口３１、可変入賞装置３２、第１の始動口３３ａ（例えば作動チャッカ）、第２の始動口３３ｂ（例えば作動チャッカ）、可変表示装置ユニット３５、スルーゲート３４、第１図柄表示装置４０、第２図柄表示装置４４、普通図柄表示装置４１及び振分入賞装置４８を備えている。これらの一般入賞口３１、可変入賞装置３２、第１の始動口３３ａ、第２の始動口３３ｂ、スルーゲート３４、可変表示装置ユニット３５、第１図柄表示装置４０、第２図柄表示装置４４、普通図柄表示装置４１及び振分入賞装置４８は、遊技盤３０における、ルータ加工によって形成された各貫通穴にそれぞれに配設され、遊技盤３０前面側から木ネジ等により取り付けられている。
【００３４】
一般入賞口３１への入球が検出スイッチ（図示省略の入賞口スイッチ）で検出され、可変入賞装置３２への入球が検出スイッチ（図示省略のカウントスイッチ）で検出され、第１の始動口３３ａ、第２の始動口３３ｂへの入球が各検出スイッチ（図示省略の作動口スイッチ）でそれぞれに検出され、この検出スイッチの出力に基づいて、上皿１９（または下皿１５）へ所定数の賞品球が払い出される。例えば、第１の始動口３３ａ、第２の始動口３３ｂ及び振分入賞装置４８への入球の場合には、３個の賞球払い出しがされる。また、一般入賞口３１及び可変入賞装置３２への入球の場合には、１０個の賞球払い出しがされる。なお、これらの賞球の個数は任意であり、種々の個数としてもよい。
【００３５】
また、第１の始動口３３ａ（第１始動入賞装置）及び第２の始動口３３ｂ（第２始動入賞装置）は、図８に示すように、それぞれ個別の入賞装置である。そして、第１の始動口３３ａ及び第２の始動口３３ｂには、図示省略の作動口スイッチ（通過検出スイッチ）がそれぞれに設けられ、この第１の始動口３３ａ及び第２の始動口３３ｂへの入球をそれぞれの図示省略の作動口スイッチにより個別に検出される。すなわち、第１の始動口３３ａ及び第２の始動口３３ｂへの遊技球の入球の場合に、始動入賞検出される。
【００３６】
なお、スルーゲート３４に遊技球が入球し、当該入球が検出スイッチ（図示省略の通過検出スイッチ）で検出されるが、当該スルーゲート３４へ入球しても、遊技球の払い出しは実行されない。
【００３７】
その他に、図８に示すように、遊技盤３０にはアウト口３６が設けられており、各種入賞装置等に入球しなかった遊技球はこのアウト口３６を通って図示しない球排出路の方へと案内される。遊技盤３０には、遊技球の落下方向を適宜分散、調整等するために多数の釘３９が植設されているとともに、風車３７等の各種部材（役物）が配設されている。
【００３８】
第１図柄表示装置４０は、図８に示すように、遊技盤３０の右下箇所に設けられ、第１の始動口３３ａへの入賞をトリガとして、識別情報としての第１図柄（例えば特別図柄）を変動表示する。また、第２図柄表示装置４４は、図８に示すように、遊技盤３０の右下箇所に設けられ、第２の始動口３３ｂへの入賞をトリガとして、識別情報としての第１図柄（例えば特別図柄）を変動表示する。また、普通図柄表示装置４１は、図８に示すように、遊技盤３０の左下箇所に設けられ、スルーゲート３４の通過をトリガとして、第２図柄（例えば普通図柄）を変動表示する。
【００３９】
第１図柄表示装置４０は、図８に示すように、例えば、第１の始動口３３ａへの入球に基づいて変動発光等する複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。
【００４０】
第１の始動口３３ａへの入球に基づいて変動発光等するＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。このように確変大当り（特定当り）や通常大当り（非特定当り）となると、可変入賞装置３２が後述する特定遊技状態（例えば、大当り状態）となる。
【００４１】
第２図柄表示装置４４は、図８に示すように、第２の始動口３３ｂへの入球に基づいて変動発光等する複数個（本実施例では２個）の２色発光タイプのＬＥＤ（発光ダイオード）４４ａ，４４ｂを備えている。また、第２の始動口３３ｂへの入球個数は保留されないため、これに対応した保留ランプ（保留表示部）は設けられていない。なお、これとは逆に保留可能とし保留ランプ（保留表示部）を設けるようにしてもよい。
【００４２】
第２図柄表示装置４４は、上記と同様に、第２の始動口３３ｂへの入球に基づいて、ＬＥＤ４４ａ，４４ｂを変動表示するものである。第２図柄表示装置４４は、各ＬＥＤ４４ａ，４４ｂの発光色を交互に変更させることで、第１図柄（本実施例では各ＬＥＤ４４ａ，４４ｂの発光色態様）の変動表示状態を発生させ、例えば、両方のＬＥＤ４４ａ，４４ｂが赤色発光状態で停止すると確変大当り（特定当り）を示し、両方のＬＥＤ４４ａ，４４ｂが青色発光状態で停止すると振分入賞装置４８への入賞が可能となる分岐実行状態を示し、両方のＬＥＤ４４ａ，４４ｂが互いに異なる色の発光状態で停止すると外れを示す。なお、確変大当り（特定当り）に替えて通常大当り（非特定当り）を採用してもよいし、確変大当り（特定当り）または通常大当り（非特定当り）に当選可能としてもよい。
【００４３】
なお、この第１図柄表示装置４０及び第２図柄表示装置４４として、少なくとも３色以上の発光が可能なタイプの単一のＬＥＤを採用してもよい。また、第１図柄表示装置４０及び第２図柄表示装置４４として、複数のセグメント発光部が所定の態様で配列されてなるセグメント表示器により構成してもよいし、液晶表示装置、有機ＥＬ表示装置、ＣＲＴ又はドットマトリックス表示器等その他のタイプの表示装置によって構成されていてもよい。また、第１図柄表示装置４０及び第２図柄表示装置４４にて表示される絵柄としては、複数種の文字が表示される構成、複数種の記号が表示される構成、複数種のキャラクタが表示される構成又は複数種の色が表示される構成などが考えられる。
【００４４】
普通図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第２の始動口３３ｂが所定時間だけ作動状態となる（開放される）よう構成されている。遊技球が第２の始動口３４を通過した回数は最大４回まで保留され、その保留回数が保留ランプ４１ｃにて点灯表示される。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した普通図柄表示装置４１が普通識別情報変動表示手段に相当する。
【００４５】
可変表示装置ユニット３５は、図８に示すように、第１の始動口３３ａ及び第２の始動口３３ｂへの入賞をトリガとして、第３図柄（例えば装飾図柄）を変動表示する第３図柄表示装置４２を備えている。
【００４６】
第３図柄表示装置４２では、第１の始動口３３ａへの入賞に基づき第１図柄表示装置４０にて第１図柄の変動表示と所定の表示（停止表示、点灯表示）が行われる場合にそれに合わせて第３図柄の変動表示と所定の表示（停止表示）が行われるとともに、第２の始動口３３ｂへの入賞に基づき第２図柄表示装置４４にて第２図柄の変動表示と所定の表示（停止表示、点灯表示）が行われる場合にそれに合わせて第３図柄の変動表示と所定の表示（停止表示）が行われる。なお、第３図柄表示装置４２では、第１の始動口３３ａ又は第２の始動口３３ｂへの入賞をトリガとした表示演出だけでなく、大当たり当選となった後に移行する後述の分岐実行状態中や特定遊技状態中の表示演出などが行われる。
【００４７】
第３図柄表示装置４２は、例えば液晶表示装置で構成されており、後述する表示制御装置４５により表示内容が制御される。第３図柄表示装置４２には、例えば後述する図１０に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示される。なお本実施の形態では、第３図柄表示装置４２（液晶表示装置）は、例えば、１１インチサイズの大型の液晶ディスプレイを備える。可変表示装置ユニット３５には、正面視した状態で第３図柄表示装置４２の表示画面をほぼ囲むようにしてこの第３図柄表示装置４２の前方側にセンターフレーム４７が配設されている。本実施形態では第３図柄表示装置４２として液晶表示装置を採用するが他の種類の画像表示装置（例えば、ＰＤＰ：プラズマ・ディスプレイ・パネルや、ＥＬ：エレクトロ・ルミネッセンス・ディスプレイや、有機ＥＬなど）でもよい。なお、上述した第３図柄表示装置４２が装飾識別情報（図柄）変動表示手段に相当し、上述した表示制御装置４５が表示制御手段に相当する。
【００４８】
図８に示すように、可変入賞装置３２は、通常は遊技球が入賞できない又は入賞し難い閉状態になっており、大当りの際に遊技球が入賞しやすい開状態と通常の閉状態とに繰り返し作動されるものである。このように、大当りの際に可変入賞装置３２が開状態と通常の閉状態とに繰り返し作動される状態は、特定遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。つまり、本実施例のパチンコ機１０は、遊技球の投入数（発射装置２２９による遊技球の遊技領域３０ａへの発射数）の方が、遊技球の賞球払出数（一般入賞口３１、可変入賞装置３２、第１の始動口３３ａ、第２の始動口３３ｂなどへの遊技球の入球に基づく賞球払出数）よりも多い通常遊技状態（遊技球消費状態）と、遊技球の賞球払出数の方が遊技球の投入数よりも多い特定遊技状態（例えば、大当り状態）とに状態変移可能なものである。
【００４９】
より詳しくは、第１の始動口３３ａに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特定遊技状態が発生する。例えば、両方のＬＥＤ４０ａ，４０ｂが赤色発光状態で停止するという発光態様の場合には、確変大当り（特定当り）の特定遊技状態に当選したことを示し、両方のＬＥＤ４０ａ，４０ｂが青色発光状態で停止するという発光態様の場合には、通常大当り（非特定当り）の特定遊技状態に当選したことを示し、両方のＬＥＤ４０ａ，４０ｂが互いに異なる色の発光状態で停止するという発光態様の場合には外れ（特定遊技状態に落選したこと）を示す。
【００５０】
スルーゲート３４への入球に基づいて普通図柄表示装置４１で第２図柄（例えば普通図柄）の変動表示がされ、当選すると第２の始動口３３ｂが所定時間（例えば、３秒間）だけ開放され、この第２の始動口３３ｂに対し遊技球が入賞すると第２図柄表示装置４４の２個のＬＥＤ４４ａ，４４ｂが変動表示され、その変動停止後のＬＥＤ４４ａ，４４ｂの表示が予め設定した発光態様の組合せとなった場合に特定遊技状態または分岐実行状態が発生する。例えば、両方のＬＥＤ４４ａ，４４ｂが赤色発光状態で停止した場合には、確変大当り（特定当り）の特定遊技状態に当選したことを示し、両方のＬＥＤ４４ａ，４４ｂが青色発光状態で停止した場合には、振分入賞装置４８への入賞が可能となる分岐実行状態を示し、両方のＬＥＤ４４ａ，４４ｂが互いに異なる色の発光状態で停止するという発光態様の場合には外れ（特定遊技状態に落選したこと）を示す。
【００５１】
そして、特定遊技状態の発生の場合には、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。また、遊技球が第１の始動口３３ａを通過した回数は最大４回まで保留され、その保留回数が保留ランプ４０ｃにて表示される。なお、保留ランプ４０ｃは、第３図柄表示装置４２の表示画面の一部で保留表示等される構成等であっても良い。
【００５２】
また、分岐実行状態の発生の場合は、振分入賞装置４８は、遊技球が通過可能な大きさの振分入口４８ａを遊技球が通過不可である閉鎖状態と、遊技球が通過可能である開放状態とに切り換える。この振分入賞装置４８は、その内部に、Ｖ入賞用領域（又は有利用領域）と、排出用領域（又は不利用領域）とを備え、振分入口４８ａから入球した遊技球がＶ入賞用領域（又は有利用領域）または排出用領域（又は不利用領域）に振り分けられる。また、Ｖ入賞用領域（又は有利用領域）と排出用領域（又は不利用領域）とには遊技球の通過を検出する検出スイッチがそれぞれ設けられており、振分入口４８ａから入球した遊技球がＶ入賞用領域に入球した場合に、可変入賞装置３２が後述する特定遊技状態（例えば、大当り状態）となる。
【００５３】
また、遊技盤３０には、図８に示すように、発射装置２２９（図３参照）から発射された遊技球を遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に遊技盤３０に取り付けられている。内レール５１は、遊技盤３０の正面視で、略縦楕円のうちでその左斜め上から時計回りで右斜め下までの箇所を除いた形状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００５４】
内レール５１の先端部分（図８の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止される。また、遊技盤３０が内枠１２に取り付けられた状態において、外レール５２における、遊技球の最大飛翔部分に対応する位置（図８の右上部：外レール５２の先端部に相当する部位）には、返しゴム５４が位置している。従って、所定以上の勢いで発射された遊技球は、返しゴム５４に当たって跳ね返されるようになっている。外レール５２は、長尺状をなすステンレス製の金属帯としているので、遊技球の飛翔をより滑らかなものとする、つまり遊技球の摩擦抵抗を少なくすることができる。なお、図８に破線で示すように、外レール５２の先端部（図８の右上部）から内レール５１の右側先端部（図８の右下部）までは、内枠１２に形成された壁部５５（図８に破線で示す）が位置することにより、遊技領域３０ａが仕切られている。
【００５５】
なお、図８に示すように、遊技盤３０の右下隅部は、証紙（例えば製造番号が記載されている）等のシールＳＬ（プレートとしてもよい）を貼着するためのスペースである。遊技盤３０の右下隅部に、証紙等のシールＳＬを貼着することで、遊技盤３０と証紙との一義性を持たせることができる。
【００５６】
次に、遊技盤３０の遊技領域３０ａについて説明する。遊技領域３０ａは、図８に示すように、内レール５１と外レール５２との内周部（内外レール）により略縦長円形状に区画形成されており、特に本実施の形態では、遊技盤３０の盤面上に区画される当該遊技領域３０ａが大きく構成されている。
【００５７】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は壁部５５によって特定される。また、遊技領域３０ａの下側限界位置は内レール５１によって特定される。また、遊技領域３０ａの上側限界位置は外レール５２によって特定される。
【００５８】
なお、詳しい図面の開示は省略するが、発射装置２２９には、前面枠セット１４の図示省略の球出口（上皿１９の最下流部より通じる球出口）から遊技球が１つずつ供給される。
【００５９】
次に、パチンコ機１０の背面の構成について説明する。図３に示すように、パチンコ機１０は、その背面（実際には内枠１２及び遊技盤３０の背面）において、各種制御基板が上下左右に並べられるとともに所定の制御基板が前後に重ねられる（例えば、後述する払出制御基板３１１ａが背面視で手前側で、電源装置３１３の電源制御基板及び発射制御装置３１２の発射制御基板が払出制御基板３１１ａよりも奥側に位置する）ようにして配置されており、さらに、遊技球を供給するための遊技球供給装置（払出機構部３５２）や樹脂製の保護カバー３５３等が取り付けられている。本実施の形態では、各種制御基板を複数の取付台２３０〜２３２に分けて搭載してそれらを各制御基板ユニットとし、各制御基板ユニットが個別に内枠１２又は遊技盤３０の背面に装着するようにしている。具体的には、図３に示すように、主制御装置２６１を取付台２３０に搭載し、サブ制御装置２６２を取付台２３２に搭載してそれぞれユニット化すると共に、払出制御装置３１１、発射制御装置３１２及び電源装置３１３を取付台２３１に搭載してユニット化している。
【００６０】
また、払出機構部３５２は、図３に示すように、各種部品（後述するタンク３５５、タンクレール３５６、ケースレール３５７、払出装置３５８及び電源スイッチ基板３８２）がパチンコ機１０の背面視で逆Ｌノ字状に配設されて構成されており、払出機構部３５２及び保護カバー３５３も１ユニットとして一体化されており、当該ユニットを裏パックと称することもあるため、ここではそのユニットを「裏パックユニット２０３」と称する。
【００６１】
裏パックユニット２０３は、ユニット単位で何ら工具等を用いずに着脱できるよう構成されており、さらにこれに加え、一部に支軸部を設けて内枠１２又は遊技盤３０の背面に対して開閉できる構成としている。これは、裏パックユニット２０３とその他構成とが前後に重ねて配置されても、隠れた構成等を容易に確認することを可能とするための工夫でもある。
【００６２】
また、遊技盤３０の背面には、各種入賞口などの遊技球の通過を検出するための入賞感知機構などが設けられている。具体的には、遊技盤３０表側の一般入賞口３１に対応する位置には入賞口スイッチ（図示省略）が設けられ、可変入賞装置３２にはカウントスイッチ（図示省略）が設けられている。カウントスイッチ（図示省略）は入賞球をカウントするスイッチである。また、第１の始動口３３ａ，第２の始動口３３ｂに対応する位置には第１の始動口３３ａ用の作動口スイッチ（図示省略）と第２の始動口３３ｂ用の作動口スイッチ（図示省略）（図示省略）とがそれぞれ設けられ、第１の始動口３３ａ，第２の始動口３３ｂへの遊技球の入球をそれぞれの作動口スイッチ（図示省略）で検出される。スルーゲート３４に対応する位置にはゲートスイッチが設けられ、スルーゲート３４への遊技球の通過を当該ゲートスイッチで検出される。
【００６３】
一般入賞口３１の入賞口スイッチ（図示省略）及びスルーゲート３４のゲートスイッチは、図示しない電気配線を通じて盤面接続基板（図示省略）に接続され、さらにこの盤面接続基板が後述する主制御装置２６１内の主制御基板２６１ａ（図９参照）に接続されている。また、可変入賞装置３２のカウントスイッチ（図示省略）は後述する大入賞口中継端子基板（図示省略）に接続され、さらにこの大入賞口中継端子基板（図示省略）がやはり主制御基板２６１ａに接続されている。これに対し、第１の始動口３３ａ及び第２の始動口３３ｂの各作動口スイッチ（図示省略）は中継基板を介さずに直接に主制御基板２６１ａに接続されている。
【００６４】
その他図示は省略するが、可変入賞装置３２には、大入賞口３２ａを開放するための大入賞口ソレノイドが設けられ、第２の始動口３３ｂを形成する第２の始動入賞装置には、この第２の始動口３３ｂに遊技球が入球可能となるように例えば羽根３３ｃを３秒間開放するための作動口ソレノイドが設けられている。
【００６５】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【００６６】
主制御装置２６１は、パチンコ機１０の背面視での下側の取付台２３０（図３参照）に搭載され、サブ制御装置２６２は、パチンコ機１０の背面視での上側の取付台２３２（図３参照）に搭載されている。ここで、主制御装置２６１は、図９に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベースと該ボックスベースの開口部を覆うボックスカバーとを備えている。これらボックスベースとボックスカバーとは、封印ユニット２６１ｃによって開封不能に連結され、これにより基板ボックス２６３が封印されている。
【００６７】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックスに収容されて構成されている。後述する電源基板より供給される電源はサブ制御装置２６２を介して表示制御装置４５に出力される。
【００６８】
図３に示すように、払出制御装置３１１、発射制御装置３１２、電源装置３１３及びカードユニット接続基板３１４が取付台２３１に搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図９参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００６９】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス３１１ｂ（被包手段）を構成するボックスベースとボックスカバーとが封印ユニット（封印手段）によって開封不能に連結され、これにより基板ボックス３１１ｂが封印されている。
【００７０】
払出制御装置３１１には、図３に示すように、状態復帰スイッチ３１１ｃが設けられている。例えば、払出モータ部の球詰まり等、払出エラーの発生時において状態復帰スイッチ３１１ｃが押下されると、払出モータ３５８ａ（図９参照）がゆっくり正回転され、球詰まりの解消（正常状態への復帰）が図られるようになっている。
【００７１】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できる。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００７２】
次に、裏パックユニット２０３の構成を説明する。裏パックユニット２０３は、図３に示すように、樹脂成形された保護カバー３５３と遊技球の払出機構部３５２とを一体化したものである。
【００７３】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて上皿１９に供給される。
【００７４】
また、タンクレール３５６には、当該タンクレール３５６に振動を付加するためのバイブレータ３６０が設けられている。例えば、バイブレータ３６０が例えば２本のネジでタンクレール３５６に締結されて取り付けられる。さらに、バイブレータ３６０は、タンクレール３５６に面接触するのではなく、当該２本のネジの部分で接触しており、バイブレータ３６０による振動がより効果的にタンクレール３５６に伝わる。従って、仮にタンクレール３５６付近で球詰まりが生じた際、バイブレータ３６０が駆動されることで球詰まりが解消される。
【００７５】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされる。
【００７６】
タンク３５５から払出通路（図示省略）に至るまでの払出機構部３５２は何れも導電性を有する樹脂材料（例えば導電性ポリカーボネート樹脂）にて成形され、その一部にて接地（アース）されている。これにより、遊技球の帯電によるノイズの発生が抑制される。
【００７７】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力される。
【００７８】
次に、本パチンコ機１０の電気的構成について、図９を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【００７９】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００８０】
ＲＡＭ５０３は、パチンコ機１０の電源のオフ後においても電源装置３１３からバックアップ電圧が供給されてデータが保持（バックアップ）できる構成としており、ＲＡＭ５０３には、各種のデータ等を一時的に記憶するためのメモリやエリアを備えている。
【００８１】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００８２】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４４、普通図柄表示装置４１や、その他図示しないスイッチ群などが接続されている。また、主制御装置２６１は、第１図柄表示装置４０及び第２図柄表示装置４４における第１図柄の変動表示と、普通図柄表示装置４１における第２図柄の変動表示とを制御する機能を備えている。
【００８３】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成としており、ＲＡＭ５１３には、各種のデータ等を一時的に記憶するためのメモリやエリアを備えている。
【００８４】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００８５】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【００８６】
図９に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。また、遊技球発射ハンドル１８の操作量に応じたボリューム信号Ｓ１０が当該遊技球発射ハンドル１８から発射制御装置３１２に入力されており、発射制御装置３１２はこのボリューム信号Ｓ１０を主制御装置２６１に出力する。
【００８７】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レールに遊技球を送る球送りソレノイドの制御を行う球送り制御信号Ｓ９（パルス信号）とを、発射制御装置３１２に所定の繰り返し周期で繰り返し出力する。なお、発射制御信号Ｓ８（パルス信号）の振幅値は、主制御装置２６１においてボリューム信号Ｓ１０に基づいて決定されており、例えば遊技球発射ハンドル１８の操作量が大きいほど発射制御信号Ｓ８（パルス信号）の振幅値が大きくなる。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【００８８】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【００８９】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【００９０】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【００９１】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００９２】
図９に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【００９３】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２２ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【００９４】
なお、電源部５４１は、電源部５４１で監視している交流２４ボルトが２２ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００９５】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【００９６】
ところで、第３図柄表示装置４２（液晶表示装置）には、図１０に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【００９７】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示される。
【００９８】
続いて、本実施例のパチンコ機１０のさらなる特徴部分について図１１〜図２６を用いて説明する。
【００９９】
図１１〜図１３は、前面枠セット１４の前方斜視図、後方斜視図及び背面図である。図１４は、前面枠セット１４の大型立体キャラクタ部２５についての分解斜視図である。図１５は、大型立体キャラクタ部２５の取付前状態の前面枠セット１４の前方斜視図である。図１６は、大型立体キャラクタ部２５の分解斜視図である。図１７は、大型立体キャラクタ部２５の突出体部４０６の分解斜視図である。図１８は、突出体部４０６の上部外壁部４０７の分解斜視図である。図１９は、大型立体キャラクタ部２５の取付ベース４２０などの分解斜視図である。図２０は、大型立体キャラクタ部２５の外形本体４００と遊技球発射ハンドル１８と取付ベース４２０とを示す斜視図である。図２１は、前面枠セット１４での大型立体キャラクタ部２５の取付前箇所の拡大斜視図である。図２２は、前面枠セット１４の大型立体キャラクタ部２５の箇所の拡大正面図である。図２３は、図２２に示した前面枠セット１４のＡ−Ａ線断面図である。図２４は、図２２に示した前面枠セット１４のＢ−Ｂ線断面図である。図２５は、前面枠セット１４の正面図である。図２６は、図２５に示した前面枠セット１４のＣ−Ｃ線断面図である。
【０１００】
なお、図１１〜図１３、図１５では、ガラス板１３７の図示を省略している。
【０１０１】
前面枠セット１４は、図１１に示すように、その前面側での右下隅部箇所に、遊技球の発射のために遊技者によって操作される遊技球発射ハンドル１８を備えている。
【０１０２】
具体的には、前面枠セット１４のネジ用貫通孔１４ｂ（図１２参照）に挿入したネジ（図示省略）を、遊技球発射ハンドル１８の裏面側のネジ穴（図示省略）に螺入することで、図１１，図１２に示すように、遊技球発射ハンドル１８が前面枠セット１４にネジ止め固定される。
【０１０３】
図１に示した遊技球発射ハンドル１８は、遊技者が手を離した状態において初期位置に付勢されており、遊技者がその付勢力を上回る逆向きの回動力を与えるように回動操作することで、初期位置から所定方向（時計周り方向：右回し方向）に回動操作されるものである。
【０１０４】
遊技球発射ハンドル１８は、図２０，図２３に示すように、前面枠セット１４の前面側右下隅箇所に取り付けられた固定側ケース部２４０と、この固定側ケース部２４０の前面側に回動可能に取り付けられた、遊技者に把持されて回動操作されるハンドル部２４２と、このハンドル部２４２の前面側に設けられたカバー部２４４と、を備えている。固定側ケース部２４０は、前面枠セット１４から前方に延出した形状であり、その延出側にハンドル部２４２を回動可能に支持している。カバー部２４４は、ハンドル部２４２を回動可能なように、固定側ケース部２４０にネジ止めされている。つまり、ハンドル部２４２は、固定側ケース部２４０及びカバー部２４４に対して回動可能となっている。
【０１０５】
図３に示す発射装置２２９は、遊技者による遊技球発射ハンドル１８の回動操作（例えば回動操作量）に応じた強さで、遊技領域３０ａに遊技球を発射する。
【０１０６】
前面枠セット１４は、図１，図２に示すように、パチンコ機１０の正面視で、遊技球発射ハンドル１８の配設箇所を含む右下隅部の領域に、この遊技球発射ハンドル１８よりも大きい大型立体キャラクタ部２５を備えている。
【０１０７】
ここで、大型立体キャラクタ部２５の構成について説明する。
【０１０８】
大型立体キャラクタ部２５は、図１１，図１４に示すように、その立体的外形を形作る外形本体４００を備えている。この外形本体４００は、図１，図２に示すように、例えば「くじら」を象った形状としており、「くじら」の頭部、胴部、足ひれ及び尾びれを形成した樹脂成型部品としている。
【０１０９】
なお、本実施例では、外形本体４００として「くじら」を象った形状のものを採用しているが、「くじら」以外の動物、植物、人間、ロボット、人工物、創造物のキャラクタなど種々の立体物を採用してもよい。また、外形本体４００を樹脂成型部品ではなく、金属製部品などとしてもよい。
【０１１０】
外形本体４００は、図１７，図２０に示すように、遊技球発射ハンドル１８の固定側ケース部２４０の前面枠セット１４に近い基端側が挿入される挿入切欠部４０２と、この挿入切欠部４０２の周囲近傍箇所に形成された、固定側ケース部２４０の延出高さよりも低い基面体部４０４と、パチンコ機１０の正面視で基面体部４０４よりも外側領域に形成された、当該パチンコ機１０の前方に向けて突出した突出体部４０６と、を備えている。
【０１１１】
なお、図１，図２に示すように、突出体部４０６は「くじら」の頭部及び胴部の一部（頭部に近い部分）に相当し、基面体部４０４は「くじら」の胴部の残部分（頭部に近い部分以外の部分）、足ひれ及び尾びれに相当する。
【０１１２】
外形本体４００は、図１６，図２０に示すように、その裏面側空間を塞ぐように当該裏面側に取付ベース４２０が取り付けられる。
【０１１３】
取付ベース４２０は、図２０に示すように、外形本体４００に取り付けられた状態で正面視した場合に外形本体４００の挿入切欠部４０２と同一箇所に、遊技球発射ハンドル１８の固定側ケース部２４０が挿入されるベース用挿入孔４２２を有するとともに、図１４に示すように、前面枠セット１４の前面側に取り付けられる。この取付ベース４２０は、例えば樹脂成型部品としているが、金属部品としてもよい。
【０１１４】
前面枠セット１４は、図１１，図１５に示すように、その前面側に、遊技者に払い出された遊技球を貯留して発射装置２２９に案内するための上皿１９を備えている。また、前面枠セット１４は、図１３、図１５及び図２１に示すように、大型立体キャラクタ部２５が配設される配設領域（例えば、正面視右下隅部の領域）での所定箇所（例えば、上部側箇所）に、当該前面枠セット１４の後面側に位置する発射装置２２９の発射位置に遊技球を１個ずつ送り出す球送出部２５０を備えている。
【０１１５】
前面枠セット１４は、図１５，図２１に示すように、樹脂成型部品であるベース板体１４ａの前面下部側と、上皿１９、下皿１５及び大型立体キャラクタ部２５との間に位置するように、当該前面下部側箇所に、金属製の補強板６０がネジ止め固定されている。なお、図１５，図２１では、前面枠セット１４の配設領域への大型立体キャラクタ部２５の取付前状態を図示しているため、補強板６０の一部（配設領域に位置する部分）が見えている。また、この補強板６０は、遊技球発射ハンドル１８の固定側ケース部２４０が挿入可能な挿入孔６０ａが形成されるとともに、球送出部２５０を逃がすための挿入孔６０ｂも形成されている。この補強板６０によって、前面枠セット１４の剛性を確保できるのみならず、大型立体キャラクタ部２５からの不正具の進入を低減できる。
【０１１６】
取付ベース４２０は、図１９，図２０に示すように、前面枠セット１４の球送出部２５０を覆う被覆壁部４２４を備えている。この被覆壁部４２４は、図２０に示すように、外形本体４００の方に向けて突出した壁部４２４ａと、外形本体４００に向いた正面壁部４２４ｂとを備え、当該取付ベース４２０の背面側（つまり、前面枠セット１４側）から見ると、球送出部２５０と同等の大きさの窪み部を形成した形状としている。つまり、被覆壁部４２４は、球送出部２５０の球送り動作を許容する窪み空間を備えている。
【０１１７】
突出体部４０６は、図１１に示すように、当該突出体部４０６の第１特定部位４３１（本実施例では、「目」の部分）を発光させる第１特定部位発光部４３０と、当該突出体部４０６の第１特定部位４３１以外の部位である第２特定部位４４１（本実施例では、「頭部」での「目」以外の部分）を発光させる第２特定部位発光部４４０とを備えている。この第１特定部位発光部４３０及び第２特定部位発光部４４０は、図９に示したサブ制御装置２６２によって発光制御される。
【０１１８】
第１特定部位発光部４３０は、図１７に示すように、突出体部４０６の円形開口部４０６ａに嵌合される略円盤形状で光透過可能な円盤状部材４３２と、この円盤状部材４３２の背面側に位置するように配設された発光用プリント配線基板４３４に実装された第１発光部４３６と、を備えている。この円盤状部材４３２は、例えば、光透過性のある樹脂成形部品である。
【０１１９】
図１７に示すように、円形開口部４０６ａは、突出体部４０６のうちで「くじら」の頭部の二箇所にそれぞれ形成された円形状の開口である。また、第１発光部４３６は、例えば、縦方向及び横方向それぞれに８個の発光ダイオード（ＬＥＤ４３７）をマトリックス状に配置したものであり、これらのＬＥＤ４３７の発光制御を行うことで、円盤状部材４３２を一様や斑状に発光させたり、変動発光させたり、文字や記号の発光表示も可能である。
【０１２０】
また、第１特定部位発光部４３０は、演出用の表示器としてもよい。第１特定部位発光部４３０での演出用表示としては、例えば、第３図柄表示装置４２での第３図柄（例えば装飾図柄）の変動表示演出に連動あるいは関連させた演出表示が挙げられる。この場合には、第１特定部位発光部４３０での演出用表示が、第３図柄表示装置４２での第３図柄（例えば装飾図柄）の変動表示演出に連動あるいは関連することで、相乗的に遊技の興趣性を向上させることができる。
【０１２１】
第２特定部位発光部４４０は、図１７に示すように、突出体部４０６の第２特定部位４４１（「頭部」での「目」以外の部分）に光を照射するように、発光用プリント配線基板４３４上に実装された複数個のＬＥＤ４４３からなる第２発光部４４６を備えている。
【０１２２】
前述した第１発光部４３６のＬＥＤ４３７及び第２発光部４４６のＬＥＤ４４３としては、単色発光タイプのＬＥＤや、複数色発光タイプのＬＥＤを採用することができる。また、ＬＥＤに替えて、小型ランプやその他の発光部品等を採用してもよい。また、第１発光部４３６として、複数個（例えば８個）のＬＥＤ４３７をマトリックス状に配置したものを採用しているが、ハニカム状などその他の配置構造としてもよい。
【０１２３】
また、突出体部４０６は、図１６，図１７に示すように、その「くじら」の頭部に相当する箇所の背面側に、当該背面側を支持するように取り付けられる補強取付台４５０を備えている。この補強取付台４５０は、図１７に示すように、突出体部４０６の「頭部」箇所に向けて突き出た、側面視で山形状となっており、その山形状の頂上部４５１が突出体部４０６の頭部での横幅中央部分の背面箇所に当接した状態となるようにネジ４５５で締結されるとともに、その両端に形成された係止爪４５２が突出体部４０６の頭部の横幅両側箇所の被係止部（図示省略）にそれぞれ係止されることで、当該突出体部４０６に取り付けられている。
【０１２４】
また、補強取付台４５０は、図１７に示すように、その突出体部４０６に対向する側の箇所に、発光用プリント配線基板４３４を支持する基板支持部４５３を備えている。補強取付台４５０は、発光用プリント配線基板４３４に接続する接続ケーブル（図示省略）が通される挿入開口部４５４が形成されている。
【０１２５】
また、突出体部４０６の円形開口部４０６ａに嵌合された円盤状部材４３２は、図２３に示すように、大型立体キャラクタ部２５が前面枠セット１４の配設領域（正面視右下隅部の領域）に取り付けられた状態において、パチンコ機１０の前方斜め上方向を向いた光透過面である。
【０１２６】
また、基面体部４０４の背面側には、図１６、図１９及び図２３に示すように、当該基面体部４０４を発光させる、発光用プリント配線基板４３４とは別の発光用プリント配線基板４２６が配設されている。つまり、「くじら」の胴部が発光用プリント配線基板４２６のＬＥＤ４２７によって発光する。
【０１２７】
前面枠セット１４は、図１５に示すように、遊技者に払い出された遊技球を貯留して発射装置２２９に案内する、当該前面枠セット１４の前方に突出形成された上皿１９と、この上皿１９の下方に位置して当該前面枠セット１４の前方に突出形成された、遊技者に払い出された遊技球を貯留する下皿１５とを備えている。
【０１２８】
突出体部４０６は、図１５、図２１及び図２５に示すように、その一部（「くじら」の左側の足ひれ）が、当該パチンコ機１０の正面視で上皿１９と下皿１５との間に入り込んで配設されている。
【０１２９】
また、上皿１９と下皿１５とは、図５、図１５及び図２５に示すように、正面視でその左端側突出部分が上下で連結された構造であるので、これら上皿１９と下皿１５の左端側突出部分の強度が確保されている。また、上皿１９の右端側突出部分と下皿１５の右端側突出部分とは、図１５、図２１及び図２５に示すように、その間の箇所に入り込んだ大型立体キャラクタ部２５の基面体部４０４の一部（「くじら」の左側の足ひれ）を介して連結された構造であるので、これら上皿１９と下皿１５の右端側突出部分の上下方向の撓みが低減されている。
【０１３０】
取付ベース４２０は、図２０，図２４に示すように、外形本体４００での前面枠セット１４に近い端部のうちの所定端部箇所（右側と、下部から左側との箇所）の内面箇所１４ｃに近接するように当該内面に沿って突出した内接突壁部４２５を備えている。図２４に示すように、取付ベース４２０の内接突壁部４２５が、外形本体４００での前面枠セット１４に近い端部のうちの例えば右側端部箇所の内面箇所１４ｃに、近接している。
【０１３１】
また、上皿１９は、図２１，図２４に示すように、パチンコ機１０の正面視で、当該上皿１９と外形本体４００との境界箇所の奥側に、その境界を塞ぐ閉塞突起部１９ａを備えている。
【０１３２】
また、突出体部４０６は、図１６に示すように、その外形の一部を構成するものであって前面枠セット１４に近い端部箇所に取り付けられる上部外壁部４０７を備えている。
【０１３３】
この上部外壁部４０７は、図１８に示すように、その所定箇所（本実施例では２箇所）に形成された窪み部４０８と、この窪み部４０８に押下可能に配設されて遊技者によって操作される、遊技球発射ハンドル１８とは別の押しボタン部４０９とを備え、正面視で略円弧形状としている。
【０１３４】
また、上部外壁部４０７は、図１８に示すように、当該上部外壁部４０７の内面箇所に、当該外形本体４００の内側に向けて延出形成された複数個（本実施例では、５個）のリブ４１０とを備えている。これらのリブ４１０は、上部外壁部４０７の正面視で略放射状に配設されている。つまり、各リブ４１０は、その突出方向が、外形本体４００の中心を向くようにそれぞれ配設形成されている。なお、リブ４１０に替えて、単一のリブを上部外壁部４０７の内側でその円弧形状に沿うように形成してもよいし、複数個のリブを上部外壁部４０７の内側でその円弧形状に沿うように配設形成してもよい
【０１３５】
図１８に示すように、押しボタン部４０９の回動軸４０９ａが、上部外壁部４０７の軸受け下部４０７ａ及び背面止め板４１１の軸受け上部４１１ａで形成される軸受け部に軸支された状態で、当該背面止め板４１１が上部外壁部４０７にネジ４１２によってネジ止めされ、押しボタン部４０９は、回動軸４０９ａを軸心として下方に押下可能であり、押下されない状態では例えばバネ（図示省略）により上方に付勢されている。
【０１３６】
また、大型立体キャラクタ部２５は、図１，図２に示すように、遊技領域３０ａの方を向くように前面枠セット１４に設けられているので、遊技者を自然に遊技領域３０ａに注視させることができる。
【０１３７】
大型立体キャラクタ部２５は、図２２，図２５に示すように、遊技球発射ハンドル１８の少なくとも一部を含む大きさのキャラクタとし、遊技球発射ハンドル１８は大型立体キャラクタ部２５と関連する装飾（例えば、色や模様や形状などの少なくとも一つが同じ装飾）が施されているので、大型立体キャラクタ部２５と一体感を持たせた遊技球発射ハンドル１８とすることができる。さらに、本実施例１の大型立体キャラクタ部２５を有するパチンコ機（遊技機）は、このような大型立体キャラクタ部２５を有しない他のパチンコ機（遊技機）と明確に区別でき、他の遊技機よりも際立たせることができる。
【０１３８】
また、前面枠セット１４は、図１に示すように、パチンコ機１０の正面視で、右上隅部に「ホタテ貝」を象ったキャラクタ部２６ａが設けられている。このキャラクタ部２６ａは、例えば払出異常を発光表示する発光部でもある。また、図１に示すように、前面枠セット１４の左上隅部には、女性の顔（例えば、マリンちゃん）を象ったキャラクタ部２６ｂが設けられている。また、図１に示すように、前面枠セット１４の右側の音出力口２４及び左側箇所には、「カニ」を象ったキャラクタ部２６ｃが設けられ、前面枠セット１４の左側の音出力口２４及び右側箇所には、「タコ」を象ったキャラクタ部２６ｄが設けられている。また、球抜きレバー１７は、図１に示すように「魚」を象った形状を採用している。
【０１３９】
続いて、本実施例のパチンコ機１０のさらなる特徴部分について図２７〜図４３を用いて説明する。
【０１４０】
図２７は、ガラスユニット１４０が開状態であって補強棒１８０及び球皿払出通路部品１９０の取り付け前状態を示す前面枠セット１４の後方斜視図である。図２８は、図２７に示した前面枠セット１４の下部側部分を示す部分後方斜視図である。図２９は、補強棒１８０及び球皿払出通路部品１９０を示す後方斜視図である。図３０は、補強棒１８０が取り付けられて球皿払出通路部品１９０が取り付け前状態の前面枠セット１４の後方斜視図である。図３１は、ガラスユニット１４０が開状態であって補強棒１８０及び球皿払出通路部品１９０が取り付けられた状態を示す前面枠セット１４の後方斜視図である。図３２は、下部止め部１７０がガラスユニット１４０を閉状態に止める止め位置にある状態の前面枠セット１４の背面図である。図３３は、下部止め部１７０が非止め位置にある状態の前面枠セット１４の背面図である。図３４は、下部止め部１７０が止め位置にあり球皿払出通路部品１９０を取り外した状態の前面枠セット１４の背面図である。図３５は、下部止め部１７０が非止め位置で球皿払出通路部品１９０を取り外した状態の前面枠セット１４の背面図である。図３６（ａ）は、図３２の一点鎖線部分の拡大図、図３６（ｂ）は、図３３の一点鎖線部分の拡大図である。図３７（ａ）は、図３４の一点鎖線部分の拡大図、図３７（ｂ）は、図３５の一点鎖線部分の拡大図である。図３８は、図３２に示した前面枠セット１４のＤ−Ｄ線断面図である。図３９は、図３３に示した前面枠セット１４のＥ−Ｅ線断面図である。図４０は、前面枠セット１４の背面図である。図４１は、図４０に示した前面枠セット１４のＦ−Ｆ線断面図である。図４２は、図４０に示した前面枠セット１４のＧ−Ｇ線断面図である。図４３は、前面枠セット１４の前面側の上部箇所を分解した分解斜視図である。
【０１４１】
なお、図１１〜図１３、図１５、図２７、図２８、図３０〜図４３では、ガラスユニット１４０のガラス板１３７の図示を省略している。
【０１４２】
図１を用いて前述したように、前面枠セット１４は、内枠１２の前面側に位置するとともに、正面視で遊技領域３０ａ（図８参照）と重なる箇所に当該遊技領域３０ａが視認可能な窓部１０１（図１参照）を備えている。
【０１４３】
窓部１０１は、図２７に示すように、前面枠セット１４での正面視で遊技領域と重なる箇所に形成された開口部１０１ａと、この開口部１０１ａを塞ぐようにして当該前面枠セット１４の背面側に取り付けられるガラスユニット１４０と、前面枠セット１４の背面視で右端縦方向軸心を回動軸としてガラスユニット１４０を回動可能に支持するユニット支持部１５０とを備えている。
【０１４４】
ガラスユニット１４０は、図２７に示すように、正面視で環状のガラス保持枠１４１と、このガラス保持枠１４１の正面側及び背面側にそれぞれ装着される二枚のガラス板１３７とを備えたものであり、二重ガラス構造を採用している。具体的には、ガラス保持枠１４１は、図２７、図３２、図３８及び図３９に示すように、その正面側及び背面側に、各ガラス板１３７が装着される装着窪み部１４１ａがそれぞれ形成されており、各ガラス板１３７を離間して保持するためにその内周に沿って形成された環状の内周突起部１４１ｂを備えている。つまり、二枚のガラス板１３７の間に環状の内周突起部１４１ｂが位置することによって、二枚のガラス板１３７が離間して保持されている。
【０１４５】
ユニット支持部１５０は、図２７に示すように、ガラス保持枠１４１の正面視で左端の上部及び下部に形成された下向きの各支持ピン部１４２と、前面枠セット１４の背面視右端の上部及び下部に形成された各ピン挿入孔１５１とを備え、ガラス保持枠１４１の各支持ピン部１４２が前面枠セット１４の各ピン挿入孔１５１に挿入されることで、ガラスユニット１４０が当該前面枠セット１４に対して開閉可能に軸支される。
【０１４６】
なお本実施例では、ユニット支持部１５０は、図２７に示すように、前面枠セット１４の背面視で右端縦方向軸心を回動軸としてガラスユニット１４０を回動可能に支持しているが、前面枠セット１４の背面視で左端縦方向軸心を回動軸としてガラスユニット１４０を回動可能に支持してもよい。
【０１４７】
前面枠セット１４は、図２７に示すように、その背面側で開口部１０１ａの周囲箇所に背面視で窪み形成された、ガラスユニット１４０の周縁部が当接する環状窪み領域部１０２を備えている。
【０１４８】
前面枠セット１４は、図２７，図３２に示すように、この前面枠セット１４の環状窪み領域部１０２にガラスユニット１４０の周縁部を当接させた閉状態とすることで、窓部１０１の開口部１０１ａがガラスユニット１４０によって塞がれる。
【０１４９】
ガラスユニット１４０は、図２７，図３２に示すように、その上部箇所が、前面枠セット１４の背面視で窓部１０１の上部箇所に設けられた上部止め部１６０によって止められ、その背面視左端側の上下二箇所が、前面枠セット１４の背面視で窓部１０１の左側上下箇所に設けられた左端上側止め部１６５及び左端下側止め部１６８によってそれぞれ止められ、その下部箇所が、前面枠セット１４の背面視で窓部１０１の下部箇所に設けられた下部止め部１７０によって止められる。これらの上部止め部１６０、左端上側止め部１６５、左端下側止め部１６８及び下部止め部１７０は、前面枠セット１４の環状窪み領域部１０２に当接するように取り付けられた状態のガラスユニット１４０がこの環状窪み領域部１０２から離間するのを規制している。
【０１５０】
具体的には、上部止め部１６０は、図１２に示すように、その操作レバー１６１を、前面枠セット１４の背面視で左方向に向けるように縦方向軸周りに回動させることで、一対の棒状体１６２がそれぞれ進出し、ガラスユニット１４０の上部突起部１４３の背後に位置する。この状態では、上部止め部１６０の各棒状体１６２の先端部分がガラスユニット１４０の上部突起部１４３の背後に位置しているため、ガラスユニット１４０の上部が前面枠セット１４の環状窪み領域部１０２から離間できないように規制される。
【０１５１】
なお、上部止め部１６０の操作レバー１６１を、前面枠セット１４の背面視で手前方向に向けるように縦方向軸周りに回動させることで、一対の棒状体１６２がそれぞれ後退し、ガラスユニット１４０の上部突起部１４３の背後に位置しなくなる。つまり、この状態では、上部止め部１６０の各棒状体１６２の先端部分がガラスユニット１４０の上部突起部１４３の背後に位置しないため、ガラスユニット１４０の上部が前面枠セット１４の環状窪み領域部１０２から離間可能となる。
【０１５２】
また、左端上側止め部１６５は、図１２，図３４に示すように、その操作レバー１６６を、前面枠セット１４の背面視で下方向に向けるように反時計方向に回動させることで、当該操作レバー１６６の一部が、ガラスユニット１４０の左端上側突起部１４４の背後に位置する。この状態では、左端上側止め部１６５の操作レバー１６６の先端部分がガラスユニット１４０の左端上側突起部１４４の背後に位置しているため、ガラスユニット１４０の左端上側が前面枠セット１４の環状窪み領域部１０２から離間できないように規制される。
【０１５３】
なお、左端上側止め部１６５の操作レバー１６６を、前面枠セット１４の背面視で左横方向に向くように時計方向に戻し回動させることで、ガラスユニット１４０の左端上側突起部１４４の背後に位置しなくなる。つまり、この状態では、左端上側止め部１６５の操作レバー１６６の先端部分がガラスユニット１４０の左端上側突起部１４４の背後に位置しないため、ガラスユニット１４０の左端上側が前面枠セット１４の環状窪み領域部１０２から離間可能となる。
【０１５４】
また、左端下側止め部１６８は、図１２，図３４に示すように、その操作レバー１６９を、前面枠セット１４の背面視で上方向に向けるように時計方向に回動させることで、当該操作レバー１６９の一部が、ガラスユニット１４０の左端下側突起部１４５の背後に位置する。この状態では、左端下側止め部１６８の操作レバー１６９の先端部分がガラスユニット１４０の左端下側突起部１４５の背後に位置しているため、ガラスユニット１４０の左端下側が前面枠セット１４の環状窪み領域部１０２から離間できないように規制される。
【０１５５】
なお、左端下側止め部１６８の操作レバー１６９を、前面枠セット１４の背面視で左横方向に向くように反時計方向に戻し回動させることで、ガラスユニット１４０の左端下側突起部１４５の背後に位置しなくなる。つまり、この状態では、左端下側止め部１６８の操作レバー１６９の先端部分がガラスユニット１４０の左端下側突起部１４５の背後に位置しないため、ガラスユニット１４０の左端下側が前面枠セット１４の環状窪み領域部１０２から離間可能となる。
【０１５６】
また、下部止め部１７０は、図３２、図３４、図３６（ｂ）及び図３７（ｂ）に示すように、その操作レバー１７１を、前面枠セット１４の背面視で上方向にスライド移動させることで、その上部先端部分が上方向に進出し、ガラスユニット１４０の下部突起部１４６の背後に位置する。この状態では、下部止め部１７０の上部先端部分がガラスユニット１４０の下部突起部１４６の背後に位置しているため、ガラスユニット１４０の下部が前面枠セット１４の環状窪み領域部１０２から離間できないように規制される。
【０１５７】
図３８に示すように、下部止め部１７０の操作レバー１７１（図３２参照）を上方向にスライド進出させた状態では、下部止め部１７０の上部先端部分がガラスユニット１４０の下部突起部１４６の背後に当接しており、後述する補強棒１８０の対向長状部１８０ａが下部止め部１７０の背面に当接している。
【０１５８】
なお、図３３、図３５、図３６（ａ）及び図３７（ａ）に示すように、下部止め部１７０の操作レバー１７１を、前面枠セット１４の背面視で下方向にスライド移動させることで、その上部先端部分が下方向に後退し、ガラスユニット１４０の下部突起部１４６の背後に位置しなくなる。つまり、この状態では、下部止め部１７０の上部先端部分がガラスユニット１４０の下部突起部１４６の背後に位置しないため、ガラスユニット１４０の下部が前面枠セット１４の環状窪み領域部１０２から離間可能となる。
【０１５９】
図３９に示すように、下部止め部１７０の操作レバー１７１（図３３参照）を下方向にスライド後退させた状態では、下部止め部１７０の上部先端部分がガラスユニット１４０の下部突起部１４６の背後に位置していないが、後述する補強棒１８０の対向長状部１８０ａが下部止め部１７０の背面に当接している。
【０１６０】
また、前面枠セット１４は、図１１に示すように、その前面側で且つ窓部１０１の周囲箇所のうちの所定範囲箇所（本実施例では、前面枠セット１４の窓部１０１よりも下部側の範囲）に、前方に突出した前方突出部１３０を備えている。
【０１６１】
この前方突出部１３０は、図２６に示すように、平面視で二個の山部を備えた形状としている。つまり、図１１及び図２６に示すように、左側の山部は、払い出された遊技球を貯留し案内する上皿１９である。また、図１１及び図２６に示すように、右側の山部は、遊技球の発射のために遊技者によって操作される遊技球発射ハンドル１８を含む前面枠セット１５の配設領域（右下隅部の領域）に配設された、遊技球発射ハンドル１８よりも大きい大型立体キャラクタ２５である。
【０１６２】
さらに、前面枠セット１４は、図３０及び図３４に示すように、その背面視で範囲箇所（窓部１０１よりも下部側の範囲）と重なる位置で且つ窓部１０１に近い位置に、長状の補強棒１８０をその長手方向が当該窓部１０１に略沿わせるようにして配設されている。この補強棒１８０は、例えば金属製部材である。
【０１６３】
つまり、この長状の補強棒１８０は、図３０及び図３４に示すように、前面枠セット１４の背面視で範囲箇所（窓部１０１よりも下部側の範囲）と重なる位置であって、上皿１９と大型立体キャラクタ２５との隣接箇所を含む位置で、且つ、窓部１０１に近い位置に、その長手方向が当該窓部１０１に略沿わせるようにしてネジ止めされている。
【０１６４】
この補強棒１８０は、図３４及び図３５に示すように、その左端から直線上に横方向（右方向）に延びた左側直線部１８１と、この左側直線部１８１から右下がりに緩やかに曲がった屈折部１８２と、この屈折部１８２から再び直線上に横方向（右方向）に延びて右端に至る右側直線部１８３とからなる一連形状を採用している。この左側直線部１８１は、前面枠セット１４の背面視で大型立体キャラクタ部２５の存する箇所（背面視で左側箇所）に位置しており、屈折部１８２は、前面枠セット１４の背面視で上皿１９と大型立体キャラクタ２５との隣接箇所を含む箇所（背面視で中央やや左側箇所）に位置しており、右側直線部１８３は、前面枠セット１４の背面視で上皿１９の存する箇所（背面視で中央から右側箇所）に位置している。
【０１６５】
この補強棒１８０は、図２８及び図２９に示すように、前面枠セット１４に対向する長状の対向長状部１８０ａと、この対向長状部１８０ａから前面枠セット１４の後方向（前面枠セット１４の背面から突出した方向）に延出した延出部１８０ｂとを備えている。
【０１６６】
つまり、補強棒１８０は、図２９、図３８、図３９及び図４２に示すように、縦断面視した状態でコの字形状となっており、対向長状部１８０ａの上端側及び下端側から前面枠セット１４の後方向（前面枠セット１４の奥向き方向）に延出部１８０ｂが延出した形状である。
【０１６７】
なお、延出部１８０ｂは、前面枠セット１４の後方向（前面枠セット１４の奥向き方向）に延出しているが、前面枠セット１４の前方向（前面枠セット１４の前面へ向かう方向）に延出するようにしてもよい。また、対向長状部１８０ａの上端側または下端側の一方のみに延出部１８０ｂを設けるようにして、縦断面視でＬノ字状としてもよい。
【０１６８】
また、図１５に示すように、前面枠セット１４は、その正面視で範囲箇所（窓部１０１よりも下部側の範囲）と重なる箇所に、当該箇所を略覆う大きさの金属製の補強板６０を、補強棒１８０とは別に備えている。
【０１６９】
また、図４３に示すように、前面枠セット１４は、その正面視で窓部１０１よりも上部箇所に、金属製の補強板６１を備えている。
【０１７０】
補強板６０は、前面枠セット１４（例えば、金属製の開閉軸Ｊ２など）を介して接地（アース）されている。また、金属製の補強棒１８０は、図２８に示すように、その対向長状部１８０ａの右端部のネジ穴１８４にネジ１８５が挿入され、当該右端部が前面枠セット１４の補強板６０の止め部に当接した状態で前面枠セット１４の背面側に締結されることで、補強棒１８０と補強板６０とが電気的に接続されている。
【０１７１】
補強棒１８０は、図２７、図２８及び図３４に示すように、下部止め部１７０を前面枠セット１４との間に挟むように配設されている。
【０１７２】
また、前面枠セット１４は、図１２、図１３、図２７〜図２９に示すように、その背面側に、払い出された遊技球を上皿１９や下皿１５に案内する払出通路部１９１を有する球皿払出通路部品１９０を備えている。
【０１７３】
この球皿払出通路部品１９０は、補強棒１８０の少なくとも一部（本実施例では、右側直線部１８３）を覆うようにして前面枠セット１４の背面側に取り付けられている。
【０１７４】
前面枠セット１４は、図３１に示すように、ガラスユニット１４０を当該前面枠セット１４の背面視で右端縦方向軸心を回動軸として回動させて窓部１０１の開口部１０１ａに取り付ける際に、ガラスユニット１４０の下部が乗り上がり当該ガラスユニット１４０を開口部１０１ａに案内する乗り上げ案内部１９２を備えている。この乗り上げ案内部１９２は、図３１に示すように、球皿払出通路部品１９０の上部箇所に設けられている。
【０１７５】
乗り上げ案内部１９２は、図３１に示すように、前面枠セット１４の開口部１０１ａの周囲下部箇所に配設され、開口部１０１ａに向けて上り勾配とした上り傾斜部１９３を備えたものである。
【０１７６】
また、図８を用いて前述したように、遊技盤３０は、遊技領域３０ａの下部箇所に、遊技球を回収して当該遊技盤３０の背後側に排出するためのアウト口３６を備えている。
【０１７７】
乗り上げ案内部１９２は、図３１に示すように、前面枠セット１４の背面視で環状窪み領域部１０２の周囲箇所のうちの下部箇所に設けられている。
【０１７８】
また、この乗り上げ案内部１９２は、図４２に示すように、前面枠セット１４の下部箇所の縦断面視で上り傾斜部１９３の上位部分が環状窪み領域部１０２の下壁部１０２ａよりも上方に突出するとともに、図３１及び図４２に示すように、上り傾斜部１９３の開口部１０１ａ側の端部には、環状窪み領域部１０２の下壁部１０２ａから当該上り傾斜部１９３の頂上部１９３ａまでの高さの壁部１９４を備えている。
【０１７９】
上り傾斜部１９３は、図３１に示すように、壁部１９４の背面側に突出形成されたリブ１９５を、当該壁部１９４の幅方向に間隔を空けて複数個並設するとともに、複数個のリブ１９５の各上部を開口部１０１ａに向けて上り勾配としたものである。
【０１８０】
また、上述した遊技盤３０が後述する遊技部品に相当し、上述した内枠１２が枠体に相当し、上述した前面枠セット１４が前面枠に相当し、上述した窓部１０１が視認部に相当し、上述した補強棒１８０が補強部材に相当し、上述した遊技球発射ハンドル１８が操作部に相当し、上述したハンドル部２４２が把持部に相当し、上述した固定側ケース部２４０が支持部に相当し、上述した大型立体キャラクタ部２５が立体的装飾物に相当し、上述した外形本体４００が山部、外形体部に相当し、上述した挿入切欠部４０２が被挿入部に相当し、上述した基面体部４０４が基面領域部に相当し、上述した突出体部４０６が突出領域部に相当し、上述した取付ベース４２０が裏面ベース部に相当し、上述した上皿１９が山部、球皿部、皿部，上皿部に相当し、上述した下皿１５が下皿部に相当し、上述した被覆壁部４２４が覆い部に相当し、上述した第１特定部位発光部４３０が発光手段、第１発光手段に相当し、上述した第２特定部位発光部４４０が発光手段に相当し、上述した円盤状部材４３２が光透過面部に相当し、上述した円形開口部４０６ａが被取付領域に相当し、上述した補強取付台４５０が補強体に相当し、上述した閉塞突起部１９ａが閉塞部材に相当し、上述した上部外壁部４０７が取付外壁部に相当し、上述した押しボタン部４０９が押下操作部に相当し、上述したガラスユニット１４０が透明板に相当し、上述した下部止め部１７０が規制部材に相当し、上述したユニット支持部１５０が支持部に相当し、上述した球皿払出通路部品１９０が通路部品に相当し、上述した払出通路部１９１が払い出し通路に相当し、上述した乗り上げ案内部１９２が乗り上げ案内手段に相当し、上述したアウト口３６が回収貫通口に相当し、上述した環状窪み領域部１０２が窪み部に相当する。
【０１８１】
続いて、本実施例のパチンコ機１０のさらなる特徴部分である幕板５１０について、図４４〜図５２を用いて説明する。
【０１８２】
図４４は、実施例１の外枠１１の下部側部分を示す一部破断前方斜視図である。図４５は、図４４の進入防止壁部品５４０に注意シール５４９を貼り付ける前の図である。図４６は、実施例１の外枠１１の下部側部分を示す一部破断後方斜視図である。図４７は、実施例１の幕板５１０の天面側の分解斜視図である。図４８は、実施例１の外枠１１の幕板５１０の平面図である。図４９（ａ）は外枠１１の幕板５１０の正面図、図４９（ｂ）は外枠１１の幕板５１０の背面図である。図５０は、パチンコ機１０の背面視下部側を示す部分背面図である。図５１は、図５０に示したＨ−Ｈ線で断面した一部破断斜視図である。図５２（ａ）は、遊技球Ｂが遊技球許容空間５５０に入った状態を示す断面図であり、図５２（ｂ）は、遊技球Ｂが遊技球許容空間５５０に入っていない状態を示す断面図である。図５３は、内枠１２の遊技球許容窪み空間部５８０と幕板５１０の進入防止壁部品５４０の囲い壁部５４３との位置関係を示す概略要部断面図である。
【０１８３】
実施例１のパチンコ機１０の外枠１１は、図４４及び図４６に示すように、その底板材１１ｂ上箇所に、幅方向に亘る幕板５１０が取り付けられている。
【０１８４】
この幕板５１０は、図４４〜図４７に示すように、外枠１１の底板材１１ｂと左板材１１ｃと右板材１１ｄとの内側空間に嵌合される、上部開口５２１を備えた有底箱状の本体部５２０と、この本体部５２０の上部開口５２１を塞ぐ天板部５３０とを備えている。本体部５２０は、図４７に示すように、外枠１１の底板材１１ｂ上箇所に固定されている。また、天板部５３０は、図４７に示すように、ネジ５１１によって本体部５２０の上部開口５２１を塞ぐようにしてネジ止めされている。
【０１８５】
なお、幕板５１０の本体部５２０及び天板部５３０は、例えば樹脂成型品であるが、金属製等としてもよい。
【０１８６】
また、図４７に示すように、本体部５２０の内部にはスピーカ５２２が配設されており、このスピーカ５２２からの音声等が本体部５２０の正面右下箇所に形成された音出力部５２３から出力され、遊技者にさらなる遊技の音響による臨場感を与えている。この音出力部５２３は、図４７に示すように多数の微小孔を備えたものとしており、当該音出力部５２３から不正具が挿入されないようにしている。
【０１８７】
内枠１２は、図２に示すように、幕板５１０上で外枠１１に対して開閉軸Ｊ１を軸心として開閉可能である。
【０１８８】
また、内枠１２には、図２に示すうように、その背面側に、樹脂ベース１２ａの開口部に図８に示す遊技領域３０ａが位置するようにして遊技盤３０が取り付けられるだけでなく、図３に示すように、各種制御装置（主制御装置２６１、サブ制御装置２６２、払出制御装置３１１など）や裏パックユニット２０３が取り付けられているため、重い物となっている。ところで、内枠１２と幕板５１０との隙間が全く無い状態にすると、内枠１２が開閉軸Ｊ１に対して僅かに変形した場合には、開閉の際に擦れて不快音が発生したり、開閉できないことになるため、内枠１２と幕板５１０とに僅かの隙間（例えば１ミリ以下）が事実上必要になる。
【０１８９】
また、図４４，図４７に示すように、外枠１１は、パチンコ機１０の正面視で天板部５３０の左端外側に、内枠１２を開閉軸Ｊ１を軸心として開閉可能に軸支する金属軸支板５７０を備えている。このように金属軸支板５７０を採用することで、前記の重量物である内枠１２を撓みを低減して開閉支持することができる。
【０１９０】
また、外枠１１は、図４４，図４７に示すように、天板部５３０における右端外側に、閉状態の内枠１２の下部で開閉軸Ｊ１から遠い右端箇所が当接する金属当接板５７２を備えている。さらに、外枠１１の幕板５１０は、図４４，図４７に示すように、金属軸支板５７０と右端の金属当接板５７２との間にも、閉状態の内枠１２の下部で開閉軸Ｊ１と右端箇所との間の箇所が当接する金属当接板５７２を備えている。
【０１９１】
さらに、幕板５１０の天板部５３０は、図４７に示すように、その幅方向及び上方向に延出した、閉状態の内枠１２の裏面下部箇所と対向する、不正具の進入を防ぐ進入防止壁部品５４０が取り付けられている。本実施例では、進入防止壁部品５４０は、図４７に示すように、幕板５１０の天板部５３０にネジ５１２によってネジ止めされている。
【０１９２】
また、図４４〜図４７に示すように、この進入防止壁部品５４０は、外枠１１の内幅全範囲に亘る幅長さとしている。つまり、進入防止壁部品５４０は、パチンコ機１０の正面視で金属軸支板５７０及び金属当接板５７２を含むように外枠１１の内幅全範囲に亘るとともに上方向に延出したものである。
【０１９３】
具体的には、進入防止壁部品５４０は、図４７、図５１及び図５２に示すように、閉状態の内枠１２の裏面下部箇所に対して少なくとも遊技球Ｂの１個分の奥行き間隔を空けて立設された、幕板５１０の天板部５３０の幅方向に延びる奥壁部５４１と、この奥壁部５４１の上端が当該パチンコ機１０の前方方向（開閉方向の開き方向）に向けて内枠１２に対して非接触に突出した、天板部５３０に対して少なくとも遊技球Ｂの１個分の高さ間隔を空けた突出上板５４２とを備えている。
【０１９４】
つまり、進入防止壁部品５４０は、図４４、図４８、図４９（ａ）、図５１及び図５２に示すように、内枠１２を閉じた状態において、幕板５１０の天板部５３０上の遊技球Ｂが入る遊技球許容空間５５０を備えている。
【０１９５】
この遊技球許容空間５５０は、図５２（ａ）に示すように、奥壁部５４１と突出上板５４２と幕板５１０の天板部５３０とで囲われた空間である。また、図４４〜図４７に示すように、この遊技球許容空間５５０は、内枠１２を閉じた状態において金属軸支板５７０及び金属当接板５７２上の遊技球Ｂも許容する。つまり、遊技球許容空間５５０は、金属軸支板５７０及び金属当接板５７２上の遊技球Ｂが入ることができる空間を、金属軸支板５７０及び金属当接板５７２上にそれぞれ有している。
【０１９６】
金属当接板５７２は、図４５に示すように、パチンコ機１０の前方側である先端側に、当該先端側に向けて下り傾斜した乗り上げ傾斜面５７２ａを備えている。また、内枠１２は、その下面部で閉鎖方向側（背後側）にその横幅に亘って、乗り上げ傾斜面５７２ａに接触可能な案内傾斜面１２ｃを備えている。なお、案内傾斜面１２ｃを、内枠１２の開閉の際に外枠１１の金属当接板５７２に接触可能な内枠１２の該当箇所のみに備えるようにしてもよい。
【０１９７】
幕板５１０の天板部５３０は、図４７、図５１及び図５２に示すように、遊技球許容空間５５０の箇所に、パチンコ機１０の前面側に向けて下り傾斜となる傾斜面５３１を備えている。この傾斜面５３１の高さは例えば３．５ミリ、傾斜面５３１の底辺は例えば１８．６ミリ、傾斜面５３１の角度は例えば１０．６度としているが、それ以外の値であってもよい。
【０１９８】
さらに、天板部５３０は、図４４、図４７及び図４９（ａ）に示すように、遊技球許容空間５５０を区分けする、突出上板５４２と幕板５１０の天板部５３０とを繋ぐ複数個（本実施例では２個）の仕切壁５３２が、進入防止壁部品５４０の幅方向で所定の間隔を空けて設けられている。
【０１９９】
また、この仕切壁５３２は、図４７及び図４９（ａ）に示すように、内枠１２と対向する側である前方側がその奥側に比べて先細りとしたものである。こうすることで、内枠１２を閉じる際に、天板部５３０上で仕切壁５３２の前方に位置する遊技球Ｂを、この仕切壁５３２の先細り形状によって遊技球許容空間５５０へ案内することができる。
【０２００】
続いて、幕板５１０の天板部５３０の左端部箇所について説明する。
【０２０１】
天板部５３０の左端部箇所には、図４７に示すように、コネクタ基板５６０が取り付けられる取付凹部５３４を備えている。コネクタ基板５６０は、図４７に示すように、２個のコネクタ部５６１，５６２を備えている。左側のコネクタ部５６１は、開閉される内枠１２の背面側に配設されたサブ制御装置２６２（図３参照）との配線が接続されるものである。右側のコネクタ部５６２は、幕板５１０の本体部５２０内部に配設されたスピーカ５２２との配線が接続されるものである。
【０２０２】
図４７に示すように、この取付凹部５３４に、コネクタ基板５６０が上方から挿入された状態で、進入防止壁部品５４０が天板部５３０上に取り付けられる。
【０２０３】
図４７で左側のコネクタ部５６１は、図４８に示すように、天板部５３０の平面視でそのコネクタ口が見えており、コネクタ部５６１に対してはサブ制御装置２６２（図３参照）との配線のコネクタが下方向に差し込まれる。図４７で右側のコネクタ部５６２は、図４９（ｂ）に示すように、幕板５１０の裏面視でそのコネクタ口が見えており、コネクタ部５６２に対しては幕板５１０の本体部５２０内部のスピーカ５２２との配線のコネクタが前方方向に差し込まれる。
【０２０４】
左側のコネクタ部５６１は、サブ制御装置２６２（図３参照）との配線が接続されるものであるため、内枠１２を新規品に交換取り付けしたり、内枠１２を外枠１１から取り外したりする際に、取り外しが必要となるところである。したがって、左側のコネクタ部５６１は、その接続作業性や接続確実性の観点から見易さを優先するために、図４４に示すように、内枠１２の開状態で見えるように配置されている。
【０２０５】
右側のコネクタ部５６２は、幕板５１０の本体部５２０内部に配設されたスピーカ５２２との配線が接続されるものであるため、一旦接続されたら基本的に取り外しされないものであり、内枠１２の交換等の際に無関係なものである。したがって、右側のコネクタ部５６２は、図４４に示すように、裏側に配置して邪魔にならないようにしている。
【０２０６】
進入防止壁部品５４０は、図４７に示すように、取付凹部５３４に挿入されたコネクタ基板５６０のコネクタ部５６１，５６２を囲う囲い壁部５４３と、このコネクタ部５６１，５６２の存在を示唆する注意シール部５４７とを備えている。
【０２０７】
この注意シール部５４７は、図４７に示すように、進入防止壁部品５４０の左端側の天部に形成された貼付天面５４８と、この貼付天面５４８に貼り付けられた注意シール５４９とを備えている。
【０２０８】
注意シール５４９には、「注意」との文字と、コネクタ部５６１，５６２の存在に注意を喚起させるために大きく図示された矢印とが印刷されている。なお、注意シール５４９に替えてプレートなどを採用してもよい。
【０２０９】
囲い壁部５４３は、図４６に示すように、奥壁部５４１よりも前方に位置し、コネクタ部５６１，５６２の前方側を隔てる前壁部５４４と、パチンコ機１０の背面視でコネクタ部５６２の左側、右側、上側を隔てるとともにコネクタ部５６１の右側を隔てるように前壁部５４４から後方に延出した延出壁部５４５とを備えている。
【０２１０】
また、内枠１２は、図５３に示すように、当該内枠１２を閉じた状態において進入防止壁部品５４０の囲い壁部５４３と対向する箇所に、遊技球Ｂが入る遊技球許容窪み空間部５８０が形成されている。この遊技球許容窪み空間部５８０は、図５３に示すように、例えば、進入防止壁部品５４０に対向した、内枠１２の対向背面壁部５８１と、この対向背面壁部５８１から奥側に延出した延出壁面５８２とを備え、この対向背面壁部５８１及び延出壁面５８２によって遊技球Ｂを許容する空間を形成するものである。よって、天板部５３０上で囲い壁部５４３の前方に遊技球Ｂがあったとしても、内枠１２を閉じる場合には、その遊技球Ｂが内枠１２の遊技球許容窪み空間部５８０に入ることができる。
【０２１１】
ここで、内枠１２を閉じる際に幕板５１０の天板部５３０上の箇所に位置する遊技球Ｂが進入防止壁部品５４０の遊技球許容空間５５０に許容される（入る）ことについて、図面を用いて説明する。
【０２１２】
まず、内枠１２を開くあるいは閉じる際に、内枠１２等から幕板５１０の天板部５３０上に遊技球Ｂが落下し、天板部５３０上で左端以外の箇所に遊技球Ｂが存在することがある。
【０２１３】
そして、幕板５１０の天板部５３０上の箇所に遊技球Ｂが存在する状態において、内枠１２を閉じると、この内枠１２によって天板部５３０上で左端以外の箇所に位置する遊技球Ｂが後押しされて進入防止壁部品５４０の方に寄せられる。
【０２１４】
このとき、天板部５３０上の箇所に位置する遊技球Ｂは、内枠１２による後押しによって当該天板部５３０の傾斜面５３１を上っていき、図４４、図５１及び図５２（ａ）に示すように、遊技球許容空間５５０に入った状態となったり、遊技球許容空間５５０に近づいた状態となる。
【０２１５】
続いて、内枠１２が完全に外枠１１に対して閉じられると、図５１及び図５２（ａ）に示すように、内枠１２によって後押しされた天板部５３０上の箇所に位置する遊技球Ｂは、最終的に遊技球許容空間５５０に入った状態で維持される。
【０２１６】
図５２（ａ）に示すように、遊技球許容空間５５０に許容された遊技球Ｂは、奥行き方向に移動可能であるため、内枠１２及び進入防止壁部品５４０で挟み込まれた状態とはならない。
【０２１７】
また、図５２（ａ）に示すように、内枠１２の裏面側下部で進入防止壁部品５４０と対向する箇所には、かかる内枠１２を補強し且つアース接続された金属部材１２ｂが備えられているので、遊技球許容空間５５０に入れられた遊技球Ｂが内枠１２の金属部材１２ｂと接触し、帯電していた遊技球Ｂの電荷を金属部材１２ｂを通じて放電させることができる。
【０２１８】
また、遊技球許容空間５５０に許容された遊技球Ｂは、図５２（ａ）に示すように、傾斜面５３１上に位置しているため、内枠１２が開けられると、遊技球Ｂは傾斜面５３１を下っていき、幕板５１０の天板部５３０から前方に排出されるので、遊技球許容空間５５０の内部に遊技球Ｂが溜まり続けるようなことを低減できる。
【０２１９】
なお、上述した外枠１１が後述する被取付部品に相当し、上述した幕板５１０が第１部材に相当し、上述した内枠１２が第２部材に相当し、上述した天板部５３０が天面部に相当し、上述した進入防止壁部品５４０が進入防止部に相当し、上述した遊技球許容空間５５０が遊技球許容空間５５０部に相当し、上述した奥壁部５４１が立設壁部に相当し、上述した突出上板５４２が突出板部に相当し、上述した仕切壁５３２が仕切部に相当し、上述した金属軸支板５７０が軸支部に相当し、上述した乗り上げ傾斜面５７２ａが乗り上げ傾斜部に相当し、上述した案内傾斜面１２ｃが傾斜部に相当し、上述したコネクタ部５６１，５６２が接続部品に相当し、上述した囲い壁部５４３が囲い部に相当し、上述した注意シール部５４７が示唆部に相当する。
【０２２０】
上述したように、本実施例１のパチンコ機１０によれば、遊技球が打ち込まれる遊技領域３０ａを前面側に形成する遊技盤３０が配設される内枠１２と、この内枠１２の前面側に位置する前面枠セット１４と、この前面枠セット１４の前面側での所定箇所に配設された、遊技球の発射のために遊技者によって操作される遊技球発射ハンドル１８と、遊技者による遊技球発射ハンドル１８の操作量に応じて、遊技領域３０ａに遊技球を発射する発射装置２２９と、を備え、遊技球発射ハンドル１８は、操作するために遊技者に把持されるハンドル部２４２と、前面枠セット１４から前方に延出し、その延出側にハンドル部２４２を支持する固定側ケース部２４０とを備え、前面枠セット１４は、当該パチンコ機１０の正面視で、遊技球発射ハンドル１８の配設箇所を含む配設領域に遊技球発射ハンドル１８よりも大きい大型立体キャラクタ部２５を備え、大型立体キャラクタ部２５は、当該大型立体キャラクタ部２５の立体的外形を形作る外形本体４００を備え、外形本体４００は、固定側ケース部２４０の前面枠セット１４に近い基端側が挿入される挿入切欠部４０２と、この挿入切欠部４０２の周囲近傍箇所に形成された、固定側ケース部２４０の延出高さよりも低い基面体部４０４と、当該パチンコ機１０の正面視で基面体部４０４よりも外側の所定領域に形成された、当該パチンコ機１０の前方に向けて突出した突出体部４０６と、を備えている。
【０２２１】
したがって、内枠１２は、遊技球が打ち込まれる遊技領域３０ａを前面側に形成する遊技盤３０が配設される。前面枠セット１４は、内枠１２の前面側に位置する。遊技球発射ハンドル１８は、前面枠セット１４の前面側での所定箇所に配設されており、遊技球の発射のために遊技者によって操作される。発射装置２２９は、遊技者による遊技球発射ハンドル１８の操作量に応じて、遊技領域３０ａに遊技球を発射する。前面枠セット１４は、パチンコ機１０の正面視で、遊技球発射ハンドル１８の配設箇所を含む配設領域に、遊技球発射ハンドル１８よりも大きい大型立体キャラクタ部２５を備えている。この大型立体キャラクタ部２５の立体的外形を形作る外形本体４００は、その挿入切欠部４０２に、遊技球発射ハンドル１８の固定側ケース部２４０の前面枠セット１４に近い基端側が挿入されるので、遊技球発射ハンドル１８を含めた大型の大型立体キャラクタ部２５を配設することができる。
【０２２２】
また、外形本体４００の基面体部４０４は、挿入切欠部４０２の周囲近傍箇所に固定側ケース部２４０の延出高さよりも低く形成されているので、遊技者によるハンドル部２４２の把持を邪魔することがない。つまり、遊技球発射ハンドル１８の大きさや、遊技球発射ハンドル１８の前面枠セット１４における配置姿勢及び配置位置などを変更する必要が無く、遊技球発射ハンドル１８を従来の大きさよりも大幅に大きくしたりすることに起因する遊技球発射ハンドル１８の操作性の低下の問題も生じない。
【０２２３】
また、外形本体４００の突出体部４０６は、パチンコ機１０の正面視で基面体部４０４よりも外側の所定領域に、当該パチンコ機１０の前方に向けて突出して形成されているので、大型の大型立体キャラクタ部２５とすることができ、前面枠セット１４の設計自由度を向上できる。したがって、遊技球発射ハンドル１８の操作性を損なうことなく遊技球発射ハンドル１８箇所に大型の大型立体キャラクタ部２５を配置でき、前面枠セット１４の設計自由度を向上できるパチンコ機を提供することができる。
【０２２４】
また、外形本体４００の裏面側は、取付ベース４２０で塞がれているので、不正行為によって外形本体４００の内部に進入させた不正具を取付ベース４２０で阻止することができ、大型立体キャラクタ部２５を狙った不正行為を低減できる。また、外形本体４００の裏面側に取付ベース４２０が取り付けられているので、外形本体４００をその裏面側の取付ベース４２０で補強することができ、外形本体４００に不正な力をかけて変形させることを低減できる。
【０２２５】
また、遊技者に払い出された遊技球は、前面枠セット１４の前面側の上皿１９に貯留されて、当該前面枠セット１４の球送出部２５０の方に案内される。そして、この球送出部２５０によって、前面枠セット１４の後面側に位置する発射装置２２９の発射位置に遊技球が１個ずつ送り出される。取付ベース４２０の被覆壁部４２４は、前面枠セット１４の球送出部２５０を覆うので、大型立体キャラクタ部２５に不正具を挿入してこの球送出部２５０から内枠１２の方に進入させる不正行為を低減できる。また、大型立体キャラクタ部２５の裏面ベースは、球送出部２５０を覆う被覆壁部４２４を備えているので、遊技球発射ハンドル１８のみならず球送出部２５０も含めた、前面枠セット１４の配設領域に相当する大きさの大型立体キャラクタ部２５を当該前面枠セット１４に配設することができる。
【０２２６】
また、操作者によって操作される遊技球発射ハンドル１８の近傍周囲に位置する基面体部４０４や突出体部４０６が第１特定部位発光部４３０，第２特定部位発光部４４０によって発光するので、この遊技球発射ハンドル１８を含む大型立体キャラクタ部２５が発光する演出を遊技者に提供することができる。例えば、遊技球発射ハンドル１８自体を発光させる構成の場合では、遊技者が遊技球発射ハンドル１８を把持することでこの遊技球発射ハンドル１８が手で覆われてしまうため、遊技球発射ハンドル１８自体の発光を遊技者が気付かないことがあるが、本実施例の構成の場合では、遊技球発射ハンドル１８を含み当該遊技球発射ハンドル１８よりも大きい大型立体キャラクタ部２５が発光することで、遊技者の手元側の発光演出をより確実に遊技者に知らせることができ、大型立体キャラクタ部２５の発光態様によって遊技の変化や遊技演出等を効果的に遊技者に示唆することができる。
【０２２７】
また、遊技球発射ハンドル１８は、パチンコ機１０の正面視で前面枠セット１４の前面側下部に位置している。大型立体キャラクタ部２５の突出体部４０６での円盤状部材４３２の前面枠セット１４側に第１特定部位発光部４３０からの光が照射され、パチンコ機１０の前方斜め上方向を向く円盤状部材４３２が発光するので、遊技者が遊技領域３０ａを見て遊技している状態においても、大型立体キャラクタ部２５の円盤状部材４３２の発光をその視界内に捕らえ易くでき、遊技者の手元に位置する大型立体キャラクタ部２５の発光態様で、遊技の変化や遊技演出等の示唆を行うことができる。
【０２２８】
また、補強取付台４５０は、第１特定部位発光部４３０が取り付けられる円形開口部４０６ａを有するとともに、円形開口部４０６ａの第１特定部位発光部４３０を円盤状部材４３２に対向させた状態で、突出体部４０６の内側箇所に取り付けられているので、突出体部４０６の円盤状部材４３２を発光させることができるのみならず、大型立体キャラクタ部２５の突出体部４０６を補強取付台４５０で補強支持することができ、大型立体キャラクタ部２５の強度をさらに向上させることができる。
【０２２９】
また、パチンコ機１０の正面視で前面枠セット１４の上皿１９と下皿１５との間に、大型立体キャラクタ部２５の突出体部４０６の一部が入り込んで配設されているので、上皿１９と下皿１５との間に入り込ませない構成に比べて、その入り込み分だけさらに大型立体キャラクタ部２５を大型なものとすることができ、パチンコ機１０の正面視で前面枠セット１４の上皿１９と下皿１５との間のスペースも大型立体キャラクタ部２５の配置スペースとして有効活用することができる。
【０２３０】
また、取付ベース４２０の内接突壁部４２５は、外形本体４００での前面枠セット１４に近い端部のうちの所定端部箇所の内面に近接するように当該内面に沿って突出しているので、大型立体キャラクタ部２５の外形本体４００と取付ベース４２０との間に細状部材や薄板部材を不正に進入させようとしても内接突壁部４２５でその進入を阻止することができ、大型立体キャラクタ部２５を通じての不正行為を低減できる。
【０２３１】
また、閉塞突起部１９ａは、パチンコ機１０の正面視で上皿１９と外形本体４００との境界箇所の奥側に設けられ、その境界を塞ぐので、大型立体キャラクタ部２５と上皿１９との境界箇所に、細状部材や薄板部材を不正に進入させようとしても閉塞突起部１９ａでその進入を阻止することができ、大型立体キャラクタ部２５と上皿１９との境界箇所を通じての不正行為を低減できる。
【０２３２】
また、上部外壁部４０７は、突出体部４０６の外形の一部を構成するものであって、当該突出体部４０６の前面枠セット１４に近い端部箇所に取り付けられる。この上部外壁部４０７は、その所定箇所に窪み部４０８が形成されている。遊技球発射ハンドル１８とは別の押しボタン部４０９は、窪み部４０８に押下可能に配設されており、遊技者によって操作される。したがって、押しボタン部４０９の押下方向には窪み部４０８が存在しているので、押しボタン部４０９と突出壁部との間に細状部材や薄板部材を不正に進入させようとしても窪み部４０８でその進入を阻止することができ、押しボタン部４０９を通じての不正行為を低減できる。
【０２３３】
また、上部外壁部４０７は、その内面箇所に、突出体部４０６の内側に向けて延出形成された複数個のリブ４１０を備えているので、遊技者が押しボタン部４０９を押下操作することによる押下力によって突出壁部が変形することを低減できる。
【０２３４】
また、遊技球が打ち込まれる遊技領域３０ａを前面側に形成する遊技盤３０が配設される内枠１２と、この内枠１２の前面側に位置するとともに、正面視で遊技領域３０ａと重なる箇所に当該遊技領域３０ａが視認可能な窓部１０１を有する前面枠セット１４とを備え、前面枠セット１４は、その前面側で且つ窓部１０１の周囲箇所のうちの所定範囲箇所（下部側の範囲）に、前方に突出した前方突出部１３０を備えるとともに、その背面視で前記範囲箇所（下部側の範囲）と重なる位置で且つ窓部１０１に近い位置に、長状の補強棒１８０をその長手方向が当該窓部１０１に略沿わせるようにして配設されているので、不正行為者が前方突出部１３０を無理に手前に引っ張ったとしても、補強棒１８０により、当該引っ張り箇所に近い前面枠セット１４及び窓部１０１の箇所の前方への撓みを低減でき、窓部１０１と遊技盤３０との間に不正な遊技球通路を形成することを低減でき、不正に球詰まりを生じさせることも低減できる。
【０２３５】
また、前方突出部１３０が、例えば払い出された遊技球を貯留し案内する上皿１９を備える場合には、不正行為者が上皿１９を操作するふりをして当該上皿１９を強引に引っ張ったとしても、長状の補強棒１８０によって、不正な撓みの発生を低減できることから、このような発見し辛い不正行為の抑止効果もある。
【０２３６】
その結果、前面枠セット１４に無理な力を作用させることによる不正行為を低減できるパチンコ機（遊技機）を提供することができる。
【０２３７】
また、前方突出部１３０は、その平面視で複数個の山部（上皿１９と大型立体キャラクタ部２５）を備えた形状であるため、不正行為者が前方突出部１３０を無理に手前に引っ張った場合には、引っ張った山部（上皿１９）とこの上皿１９に隣接する他の山部（大型立体キャラクタ部２５）との境界箇所に前方への撓み力が生じ易くなる。そこで、長状の補強棒１８０を、前面枠セット１４の背面視で前記範囲箇所（下部側の範囲）と重なる位置であって上皿１９と大型立体キャラクタ部２５との隣接箇所を含む位置で且つ窓部１０１に近い位置に、その長手方向が当該窓部１０１に略沿わせるようにして配設しているので、前方突出部１３０を無理に手前に引っ張った場合であっても、補強棒１８０により、前面枠セット１４での当該境界箇所の前方への撓みを低減でき、窓部１０１と遊技盤３０との間に不正な遊技球通路を形成することを低減でき、不正に球詰まりを生じさせることも低減できる。
【０２３８】
また、前方突出部１３０の一方の山部は、遊技球を貯留し案内する上皿１９であり、その他方の山部は、遊技球の発射のために遊技者によって操作される遊技球発射ハンドル１８を含む前面枠セット１４の配設領域に配設された、当該遊技球発射ハンドル１８よりも大きい大型立体キャラクタ部２５である。したがって、上皿１９と大型立体キャラクタ部２５とが並設された前面枠セット１４を採用する場合であっても、前方突出部１３０を無理に手前に引っ張られたとしても、補強棒１８０により、前面枠セット１４での当該境界箇所の前方への撓みを低減でき、窓部１０１と遊技盤３０との間に不正な遊技球通路を形成することを低減でき、不正に球詰まりを生じさせることも低減できる。
【０２３９】
また、前面枠セット１４の正面視で前記範囲箇所（下部側の範囲）と重なる箇所に、当該箇所を略覆う大きさの補強板６０を、補強棒１８０とは別に備えているので、前面枠セット１４の範囲箇所（下部側の範囲）の撓みを低減できるとともに、前面枠セット１４の範囲箇所の一部を不正に溶解させて貫通させようとする不正行為を低減できる。
【０２４０】
また、窓部１０１は、前面枠セット１４での正面視で遊技領域３０ａと重なる箇所に形成された開口部１０１ａと、この開口部１０１ａを塞ぐようにして当該前面枠セット１４の背面側に取り付けられるガラスユニット１４０とを備えている。前面枠セット１４に備えられた下部止め部１７０は、開口部１０１ａを塞ぐように取り付けられた状態のガラスユニット１４０が当該開口部１０１ａから離間するのを規制する。そして、補強棒１８０は、下部止め部１７０を前面枠セット１４との間に挟むように配設されているので、窓部１０１を構成するガラスユニット１４０を奥方向に不正行為者が無理に押したとしても、下部止め部１７０の奥側への移動が補強棒１８０により抑止され、ガラスユニット１４０の開口部１０１ａからの離間が抑止され、ガラスユニット１４０と前面枠セット１４との間に不正な隙間が生じることを低減でき、その隙間から細状の不正具を進入させる不正行為を低減できる。
【０２４１】
また、前方突出部１３０の上皿１９に帯電した遊技球等の接触によって上皿１９等が帯電した場合でも、補強棒１８０は、金属製部材であり、接地された補強板６０と電気的に接続されているので、補強板６０や金属製の補強棒１８０によって静電シールドすることができ、この前面枠セット１４の背面側に位置する内枠１２や、この内枠１２の背面側に位置し上皿１９に近い制御基板（例えば主制御基板２６１ａ）等に静電誘導が生じることを低減でき、制御基板のノイズによる誤作動を低減できる。
【０２４２】
また、長状の補強棒１８０は、前面枠セット１４に対向する長状の対向長状部１８０ａと、この対向長状部１８０ａから前面枠セット１４の前方向または後方向に延出した延出部１８０ｂとを備えているので、補強棒１８０を長状としながらも剛性に優れたものとすることができる。また、前面枠セット１４の窓部１０１の周囲近傍箇所には種々の部品などの配設が予定されているため、補強構造用の空きスペースを大きくとることが困難であるが、このような長状の補強棒１８０であれば前面枠セット１４での僅かなスペースにも配設することができ、窓部１０１またはその周辺箇所に不正な力をかけることによる不正行為を低減しつつ、前面枠セット１４の窓部１０１の周囲部品の設計変更負担も低く抑えることができる。
【０２４３】
また、前面枠セット１４は、払い出された遊技球を上皿１９に案内する払出通路部１９１を有する球皿払出通路部品１９０が、長状の補強棒１８０の少なくとも一部を覆うように取り付けられているので、例えば、前面枠セット１４を内枠１２に対して開いた開状態にしても、長状の補強棒１８０の少なくとも一部が球皿払出通路部品１９０で隠れており、球皿払出通路部品１９０を外さなければ補強棒１８０を外すことができず、補強棒１８０の不正な取り外しを低減できる。また、仮に球皿払出通路部品１９０が不正に取り外された場合には、球皿払出通路部品１９０がないため、遊技球が上皿１９に案内されず、不正行為者は遊技球の払い出しを受けることができない。
【０２４４】
また、遊技球が打ち込まれる遊技領域３０ａを前面側に形成する遊技盤３０が配設される内枠１２と、この内枠１２の前面側で開閉可能に支持されるとともに、正面視で遊技領域３０ａと重なる箇所に当該遊技領域３０ａが視認可能な窓部１０１を有する前面枠セット１４と、を備え、窓部１０１は、前面枠セット１４の正面視で遊技領域３０ａと重なる箇所に形成された開口部１０１ａと、この開口部１０１ａを塞ぐようにして当該前面枠セット１４の背面側に取り付けられるガラスユニット１４０と、前面枠セット１４の背面視で右端縦方向軸心を回動軸としてガラスユニット１４０を回動可能に支持するユニット支持部１５０とを備え、前面枠セット１４は、ガラスユニット１４０を前記回動軸周りに回動させて開口部１０１ａに取り付ける際にガラスユニット１４０の下部が乗り上がり当該ガラスユニット１４０を開口部１０１ａに案内する乗り上げ案内部１９２を備えている。
【０２４５】
したがって、例えば、ガラスユニット１４０のユニット支持部１５０の軸部分が経年変化等により削れたり、経年使用したガラスユニット１４０を再利用したりすることで、僅かな回動軸ズレが生じている場合には、ガラスユニット１４０を回動軸周りに回動させて開口部１０１ａに取り付ける際に、そのガラスユニット１４０の下部が前面枠セット１４の乗り上げ案内部１９２に乗り上がり、当該ガラスユニット１４０が開口部１０１ａに案内されるので、このように可動軸ズレが生じている場合でもガラスユニット１４０を開口部１０１ａに案内し易い。
【０２４６】
また、前述した回動軸ズレが生じているとは知らずに、ガラスユニット１４０を前面枠セット１４に閉じても、ガラスユニット１４０の下部が前面枠セット１４の乗り上げ案内部１９２に乗り上がり、当該ガラスユニット１４０が開口部１０１ａに案内されるので、ガラスユニット１４０が前面枠セット１４の開口部１０１ａ以外の箇所（衝突を予定していない箇所）に衝突することが低減でき、前面枠セット１４やガラスユニット１４０の破損を低減できる。
【０２４７】
その結果、ガラスユニット１４０の前面枠セット１４への取り付け作業性に優れ、ガラスユニット１４０を前面枠セット１４に取り付ける際の部品の破損を低減できるパチンコ機（遊技機）を提供することができる。
【０２４８】
また、乗り上げ案内部１９２の上り傾斜部１９３は、前面枠セット１４の開口部１０１ａの周囲下部箇所に配設され、開口部１０１ａに向けて上り勾配としているので、ガラスユニット１４０の下部が上り傾斜部１９３に乗り上がって当該ガラスユニット１４０を開口部１０１ａに案内でき、回動軸ズレが生じたガラスユニット１４０をスムーズに開口部１０１ａに案内することができる。
【０２４９】
また、遊技盤３０の遊技領域３０ａの下部箇所に備えられたアウト口３６は、遊技球を回収して当該遊技盤３０の背後側に排出する。ガラスユニット１４０の開口部１０１ａへの取り付け状態では、前面枠セット１４の背面側で開口部１０１ａの周囲箇所に背面視で窪み形成された環状窪み領域部１０２に、ガラスユニット１４０の周縁部が当接する。乗り上げ案内部１９２は、前面枠セット１４の背面視で環状窪み領域部１０２の周囲箇所のうちの下部箇所に設けられ、当該下部箇所の縦断面視で上り傾斜部１９３の上位部分が環状窪み領域部１０２の下壁部１０２ａよりも上方に突出するとともに、上り傾斜部１９３の開口部１０１ａ側の端部には、環状窪み領域部１０２の下壁部１０２ａから上り傾斜部１９３の頂上部１９３ａまでの高さの壁部１９４が形成されているので、細状の不正具を遊技盤３０のアウト口３６に進入させる目的で、不正行為者が不正具を前面枠セット１４の開口部１０１ａ下部箇所とガラスユニット１４０との間に不正に進入させたとしても、この壁部１９４により不正具の進入を低減できる。
【０２５０】
また、上り傾斜部１９３は、壁部１９４の背面側に突出形成されたリブ１９５を、当該壁部１９４の幅方向に間隔を空けて複数個並設するとともに、複数個のリブ１９５の各上部を開口部１０１ａに向けて上り勾配としたものであるので、ガラスユニット１４０の下部が複数個のリブ１９５の上部の上り勾配部分に乗り上がって当該ガラスユニット１４０を開口部１０１ａに案内でき、壁部１９４の背面側に複数個のリブ１９５を並設しているので、壁部１９４の強度を確保することができ、不正具を壁部１９４の正面側に押し当てて強引に進入させようとする不正行為を低減できる。
【０２５１】
また、前面枠セット１４の前面側で且つ窓部１０１の周囲箇所のうちの所定範囲箇所（下部側の範囲）には、前方に突出した前方突出部１３０が設けられている。そして、長状の補強棒１８０は、前面枠セット１４の背面視で前記範囲箇所と重なる位置で且つ窓部１０１に近い位置に、その長手方向が当該窓部１０１に略沿わせるようにして配設されているので、不正行為者が前方突出部１３０を無理に手前に引っ張ったとしても、補強棒１８０により、当該引っ張り箇所に近い前面枠セット１４及び窓部１０１の箇所の前方への撓みを低減でき、窓部１０１と遊技盤３０との間に不正な遊技球通路を形成することを低減でき、不正に球詰まりを生じさせることも低減できる。
【０２５２】
また、払い出された遊技球を上皿１９に案内する払出通路部１９１を有する球皿払出通路部品１９０は、前面枠セット１４の背面側で、補強棒１８０の少なくとも一部を覆うようにして取り付けられているので、例えば、前面枠セット１４を内枠１２に対して開いた開状態にしても、長状の補強棒１８０の少なくとも一部が球皿払出通路部品１９０で隠れており、球皿払出通路部品１９０を外さなければ補強棒１８０を外すことができず、補強棒１８０の不正な取り外しを低減できる。また、仮に球皿払出通路部品１９０が不正に取り外された場合には、球皿払出通路部品１９０がないため、遊技球が上皿１９に案内されず、不正行為者は遊技球の払い出しを受けることができない。
【０２５３】
また、乗り上げ案内部１９２は、球皿払出通路部品１９０の上部箇所に設けられているので、球皿払出通路部品１９０を、ガラスユニット１４０の開口部１０１ａへの案内手段としても有効活用することができ、乗り上げ案内部１９２を別部品とする必要がない。
【０２５４】
上述したように、本実施例１のパチンコ機１０によれば、当該パチンコ機１０の外殻を形成し遊技場の遊技島に固定される外枠１１と、この外枠１１の底板材１１ｂ上で幅方向に亘って設けられた幕板５１０と、この幕板５１０上で外枠１１に対して開閉可能な内枠１２と、を備え、幕板５１０は、閉状態の内枠１２の一部が上方に位置される天板部５３０に対して内枠１２の閉鎖方向側であって閉状態の内枠１２の裏面下部箇所と対向する位置において、幅方向及び上方向に延出した進入防止壁部品５４０を備え、この進入防止壁部品５４０は、内枠１２を閉じた状態において幕板５１０の天板部５３０上の遊技球Ｂが入る遊技球許容空間５５０を備えている。
【０２５５】
したがって、幕板５１０の天板部５３０上に遊技球Ｂが存する状態において内枠１２を閉じたとしても、この遊技球Ｂは遊技球許容空間５５０に入るので、内枠１２を閉じる際に遊技球Ｂが当該内枠１２と進入防止壁部品５４０とに挟み込まれることがなく、遊技球Ｂの挟み込みによって内枠１２あるいは進入防止壁部品５４０が破損することを低減できる。また、内枠１２と幕板５１０の天板部５３０との隙間から不正具を入れようとしても、進入防止壁部品５４０によってその進入を阻むことができ、内枠１２と幕板５１０との隙間からの不正具の進入を低減できる。
【０２５６】
また、内枠１２を外枠１１に対して閉じた状態において、内枠１２と幕板５１０との間に剛性のある棒状部材を挿入してテコの原理等で内枠１２を不正に持ち上げてその隙間に不正具を進入させる不正行為が懸念されるが、内枠１２が外枠１１に閉じられた状態であるため、当該内枠１２の持ち上げ高さは最大で例えば２、３ミリ程度であるのに対して、進入防止壁部品５４０の遊技球許容空間５５０は遊技球Ｂが入る大きさであることから、この進入防止壁部品５４０の高さは少なくとも遊技球Ｂの直径（例えば１１ミリ）よりも大きくすることができ、内枠１２を不正に持ち上げて当該内枠１２と幕板５１０の天板部５３０との隙間から不正具を入れようとしても、進入防止壁部品５４０によってその進入を阻むことができ、内枠１２と幕板５１０との隙間からの不正具の進入を低減できる。
【０２５７】
その結果、内枠１２と幕板５１０との隙間からの不正具の進入を低減できるとともに、遊技球Ｂの挟み込みによる損傷を低減できるパチンコ機１０を提供することができる。また、不正行為がされても内枠１２と外枠１１間に隙間が生じないように内枠１２と外枠１１との寸法精度を高めることが考えられるが、そうするとコスト高となるばかりでなく、少しでも歪が生じると内枠１２の開閉に支障が生じることになる。これに対して、本実施例のパチンコ機１０によれば、内枠１２と外枠１１とにマージンを有していても不正防止できることから、寸法精度を必要以上に高める必要が無く、寸法精度向上によるコスト高を低減できる。
【０２５８】
また、外枠１１は、パチンコ機１０の正面視で天板部５３０の左端側に、内枠１２を開閉可能に軸支する金属軸支板５７０を備えるとともに、天板部５３０における右端側に、閉状態の内枠１２の下部で金属軸支板５７０から遠い端部部位が当接する金属当接板５７２を備え、進入防止壁部品５４０は、パチンコ機１０の正面視で金属軸支板５７０及び金属当接板５７２を含むように外枠１１の内幅全範囲に亘るとともに上方向に延出し、遊技球許容空間５５０は、内枠１２を閉じた状態において金属軸支板５７０及び金属当接板５７２上の遊技球Ｂも許容する。したがって、内枠１２を金属軸支板５７０を回動軸として閉じる際には、内枠１２の下部で金属軸支板５７０から遠い端部部位が幕板５１０の金属当接板５７２に当接するので、幕板５１０の摩耗劣化を低減できる。例えば、金属当接板５７２を天板部５３０よりも耐摩耗性のある部材（例えば金属製部材など）を採用しても良い。また、進入防止壁部品５４０が外枠１１の内幅全範囲に亘って形成されているので、内枠１２と幕板５１０との隙間からの不正具の進入を阻むことができる。また、遊技球許容空間５５０は、内枠１２を閉じた状態において金属軸支板５７０及び金属当接板５７２上の遊技球Ｂも許容するので、天板部５３０、金属軸支板５７０及び金属当接板５７２上に遊技球Ｂが存する状態において内枠１２を閉じたとしても、これらの遊技球Ｂは、遊技球許容空間５５０に入ることができ、天板部５３０、金属軸支板５７０及び金属当接板５７２上の遊技球Ｂが遊技機の背後側に落下して貯まることを低減できる。
【０２５９】
また、金属当接板５７２は、パチンコ機１０の前方側である先端側に、当該先端側に向けて下り傾斜した乗り上げ傾斜面５７２ａを備え、内枠１２は、正面視で開閉軸Ｊ１から遠い右側端部で閉鎖方向側（背面側）に、乗り上げ傾斜面５７２ａに接触可能な案内傾斜面１２ｃを備えているので、内枠１２を外枠１１に閉じた状態とする際に、内枠１２の案内傾斜面１２ｃが幕板５１０の乗り上げ傾斜面５７２ａに乗り上がり案内されて内枠１２が閉じられるので、内枠１２を外枠１１にスムーズに閉じることができる。
【０２６０】
また、進入防止壁部品５４０は、幕板５１０に配設されたコネクタ部５６１，５６２を囲う囲い壁部５４３と、コネクタ部５６１，５６２の存在を示唆する注意シール部５４７とを備えているので、作業者は、進入防止壁部品５４０の注意シール部５４７を見ることで、幕板５１０に配設されたコネクタ部５６１，５６２を囲う囲い壁部５４３での当該コネクタ部５６１，５６２の存在に気付くことができ、内枠１２を外枠１１に閉じる際などにおいて、コネクタ部５６１，５６２などが損傷しないように注意して作業を行うことができる。
【０２６１】
また、幕板５１０の天板部５３０における遊技球許容空間５５０の箇所での傾斜面５３１は、パチンコ機１０の前面側に向けて下り傾斜となっているので、遊技球許容空間５５０に入った遊技球Ｂは、内枠１２が開けられると、その傾斜面５３１によってパチンコ機１０の前面側に自動的に排出されるため、遊技球許容空間５５０への遊技球Ｂの溜まり込みを解消できる。
【０２６２】
また、進入防止壁部品５４０は、閉状態の内枠１２の裏面下部箇所に対して少なくとも遊技球Ｂの１個分の奥行き間隔を空けて立設された、幕板５１０の天板部５３０の幅方向に延びる奥壁部５４１と、この奥壁部５４１より当該パチンコ機１０の前方方向（開閉方向の開き方向）に向けて内枠１２に対して非接触に突出した、天板部５３０に対して少なくとも遊技球Ｂの１個分の高さ間隔を空けた突出上板５４２とを備え、遊技球許容空間５５０は、奥壁部５４１と突出上板５４２と幕板５１０の天板部５３０とで囲われた空間である。したがって、内枠１２が勢いよく閉められたとしても、幕板５１０の天板部５３０上の遊技球Ｂが突出上板５４２で頭打ちされて遊技球許容空間５５０に止めることができる。つまり、幕板５１０の天板部５３０上の遊技球Ｂが進入防止壁部品５４０を飛び越えることがなく、遊技球許容空間５５０に入った状態とすることができる。また、突出上板５４２は、奥壁部５４１の上部で内枠１２に向けられているので、この突出上板５４２の先端と内枠１２との間に不正具を進入させることが困難であり、内枠１２と幕板５１０との隙間からの不正具の進入をさらに低減できる。
【０２６３】
また、複数個（本実施例では２個）の仕切壁５３２は、遊技球許容空間５５０を区分けするとともに、突出上板５４２と幕板５１０の天板部５３０とを繋ぐものであり、進入防止壁部品５４０の幅方向で所定の間隔を空けて設けられている。したがって、複数個（２個）の仕切壁５３２によって突出上板５４２と幕板５１０の天板部５３０とが繋がれているので、進入防止壁部品５４０に大きな力を加えることで当該進入防止壁部品５４０を撓ませて不正な隙間を作ることを低減できる。
【０２６４】
また、仕切壁５３２は、内枠１２と対向する側である前方側が先細りとなっているので、幕板５１０の天板部５３０上の遊技球Ｂが丁度仕切壁５３２に位置していたとしても、遊技球Ｂをその先細り部分で左右に振り分けることができ、かかる遊技球Ｂを仕切壁５３２と内枠１２とで挟み込むことを低減できる。
【０２６５】
また、パチンコ機１０の外殻を形成し遊技場の遊技島に固定される外枠１１と、この外枠１１の底板材１１ｂ上で幅方向に亘って設けられた幕板５１０と、この幕板５１０上で外枠１１に対して開閉可能な内枠１２と、を備え、幕板５１０は、閉状態の内枠１２の一部が上方に位置される天板部５３０に対して内枠１２の閉鎖方向側であって閉状態の内枠１２の裏面下部箇所と対向する位置において、幅方向及び上方向に延出した進入防止壁部品５４０を備え、幕板５１０の天板部５３０は、進入防止壁部品５４０の手前側箇所に、内枠１２を閉じる際において幕板５１０の当該天板部５３０上の遊技球Ｂが進入防止壁部品５４０に乗り上がるように当該進入防止壁部品５４０の上部側途中高さまで上り案内する上り案内傾斜面５３３を備えている。
【０２６６】
したがって、幕板５１０の天板部５３０上に遊技球Ｂが存する状態において内枠１２を閉じたとしても、この遊技球Ｂは上り案内傾斜面５３３によって進入防止壁部品５４０の上部側途中高さまで上り案内されて当該進入防止壁部品５４０に乗り上がるので、内枠１２を閉じる際に遊技球Ｂが当該内枠１２と進入防止壁部品５４０とに挟み込まれることがなく、遊技球Ｂの挟み込みによって内枠１２あるいは進入防止壁部品５４０が破損することを低減できる。また、内枠１２と幕板５１０との隙間から不正具を入れようとしても、不正具が幕板５１０の天板部５３０の上り案内傾斜面５３３に沿って進入防止壁部品５４０の上部側途中高さまで案内されるに止まり、不正具の先端が進入防止壁部品５４０の上部側途中高さ箇所で当るため、進入防止壁部品５４０によってその進入を阻むことができ、内枠１２と幕板５１０との隙間からの不正具の進入を低減できる。
【０２６７】
また、内枠１２を外枠１１に対して閉じた状態において、内枠１２と幕板５１０との間に剛性のある棒状部材を挿入してテコの原理等で内枠１２を不正に持ち上げてその隙間に不正具を進入させる不正行為が懸念されるが、内枠１２が外枠１１に閉じられた状態であるため、当該内枠１２の持ち上げ高さは最大で例えば２、３ミリ程度であるのに対して、幕板５１０の天板部５３０上に上り案内傾斜面５３３を設けることで進入防止壁部品５４０の高さを遊技球Ｂの直径（例えば１１ミリ）などとすることもでき、内枠１２を不正に持ち上げて当該内枠１２と幕板５１０との隙間から不正具を入れようとしても、進入防止壁部品５４０の上部側によってその進入を阻むことができ、内枠１２と幕板５１０との隙間からの不正具の進入を低減できる。
【０２６８】
その結果、内枠１２と幕板５１０との隙間からの不正具の進入を低減できるとともに、遊技球Ｂの挟み込みによる損傷を低減できるパチンコ機１０を提供することができる。また、不正行為がされても内枠１２と外枠１１間に隙間が生じないように内枠１２と外枠１１との寸法精度を高めることが考えられるが、そうするとコスト高となるばかりでなく、少しでも歪が生じると内枠１２の開閉に支障が生じることになる。これに対して、本実施例のパチンコ機１０によれば、内枠１２と外枠１１とにマージンを有していても不正防止できることから、寸法精度を必要以上に高める必要が無く、寸法精度向上によるコスト高を低減できる。
【０２６９】
また、進入防止壁部品５４０は、その上面で上り案内傾斜面５３３に近い側の箇所に、当該パチンコ機１０の前面側に向けて下り傾斜となる上部傾斜面５４３を備えているので、進入防止壁部品５４０に乗り上げた遊技球Ｂは、内枠１２が開けられると、その上部傾斜面５４３によってパチンコ機１０前面側に自動的に排出されるため、進入防止壁部品５４０の上面への遊技球Ｂの溜まり込みを解消できる。
【０２７０】
この発明は、上記実施形態に限られることはなく、同様の効果を奏する別の構成としてもよく、例えば下記のように変形実施することができる。
【０２７１】
＜１＞上述した実施例では、大型立体キャラクタ部２５の外形本体４００は、遊技球発射ハンドル１８の固定側ケース部２４０の一部が挿入される挿入切欠部４０２を備えた構成としているが、外形本体４００の外面での取付箇所に遊技球発射ハンドル１８が取り付けられ、当該取付箇所の一部に、技球発射ハンドル１８の配線を通すための配線用孔を形成した構成を採用してもよい。
【０２７２】
＜２＞上述した実施例では、前面枠セット１４は遊技球発射ハンドル１８を備えているが、内枠１２が遊技球発射ハンドル１８を備え、且つ、前面枠セット１４がその内枠１２の遊技球発射ハンドル１８に接触することなく内枠１２に対して開閉可能な構成を採用してもよい。例えば、前面枠セット１４は、内枠１２に対して開閉する際に、この内枠１２の遊技球発射ハンドル１８と接触しないように形成された切り欠き部や逃がし開口部を備える構成が挙げられる。
【０２７３】
＜２＞上述した実施例では、操作部として、回動式の遊技球発射ハンドル１８を例に挙げて説明しているが、押しボタン式の遊技球発射操作部や、スライドレバー式の遊技球発射操作部や、ジョイスティック式の遊技球発射操作部など、各種の操作部を採用してもよく、これらの操作部を含むような大型立体キャラクタ部２５を配設してもよい。
【０２７４】
＜３＞上述した実施例では、被挿入部としての挿入切欠部４０２は、外形本体４００の樹脂成型工程で同時に当該挿入切欠部４０２が形成されるような成型金型を使用しているが、挿入切欠部４０２は、外形本体４００を樹脂成型した後に切り欠き加工して形成されたものとしてもよい。
【０２７５】
＜４＞上述した実施例では、被挿入部として挿入切欠部４０２を例に挙げて説明しているが、このような挿入切欠部４０２に替えて、挿入用貫通孔を採用してもよい。
【０２７６】
＜５＞上述した実施例では、基面体部４０４及び突出体部４０６の両方が発光可能としているが、基面体部４０４または突出体部４０６の一方のみが発光するようにしてもよい。
【０２７７】
＜６＞上述した実施例では、補強棒１８０の一部が前面枠セット１４の背面側から見えるように配設されているが、前面枠セット１４の内部に設けられるようにしてもよい。この補強棒１８０は、実施例では緩やかに曲がる屈折部１８２を有する形状としているが、急峻に曲がる屈折部としてもよい、背面視で一直線状としてもよい。
【０２７８】
＜７＞上述した実施例では、進入防止壁部品３４０での囲い壁部５４３以外の箇所に遊技球許容空間３５０を形成しているが、コネクタ基板５６０の天板部５３０における配設箇所を奥側にずらし、進入防止壁部品３４０での全箇所に遊技球許容空間３５０を形成するようにしてもよい。また、内枠１２は、進入防止壁部品３４０の囲い壁部５４３と対向する箇所に、遊技球許容窪み空間部５８０を形成しているが、内枠１２の背面側下部の全横幅範囲に亘って遊技球許容窪み空間部５８０を形成し、進入防止壁部品３４０は、その全範囲に亘って前壁部５４４を形成するようにしてもよい。
【０２７９】
＜８＞上述した実施例では、前面枠セット１４は、上皿１９及び下皿１５を備え、上皿１９と下皿１５との間に大型立体キャラクタ部２５の一部が入り込むようにして当該大型立体キャラクタ部２５が配設されているが、上皿１９及び下皿１５の両方を備えるのではなく、上皿１９のみ、または、下皿１５のみとした前面枠セット１４に大型立体キャラクタ部２５を配設するようにしてもよい。例えば上皿１９のみとした場合には、大型立体キャラクタ部２５の一部が前面枠セット１４の正面視で当該前面枠セット１４における、上皿１９の下方位置（または上方位置、あるいは上方位置及び下方位置）に配設することが挙げられる。また、下皿１５のみとした場合には、大型立体キャラクタ部２５の一部が前面枠セット１４の正面視で当該前面枠セット１４における、下皿１５の上方位置（または下方位置、あるいは上方位置及び下方位置）に配設することが挙げられる。また、複数個の皿部としては、実施例の上皿１９及び下皿１５に限定されるのではなく、種々の皿部に適用してもよく、皿部の上方、下方位置の少なくとも一方に大型立体キャラクタ部２５の一部を配設することが挙げられる。
【０２８０】
＜９＞上述した実施例では、本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特定遊技状態となるパチンコ機として実施してもよい。また、球が所定の入賞口に入ることで特定遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０２８１】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０２８２】
なお、本明細書は、次のような遊技機に係る発明も開示している。
【０２８３】
＜第１課題＞
従来、遊技機の代表例として例えばパチンコ機がある。このパチンコ機は、例えば、島設備に設置される外枠と、この外枠に対して開閉可能に取り付けられた内枠と、この内枠に取り付けられた、遊技球が打ち込まれる遊技領域を前面側に有する遊技盤と、遊技領域が視認可能な視認窓を備えた、内枠の前面側で且つ下部箇所を除く上中部箇所に開閉可能に設けられたガラス枠と、このガラス枠の下方位置で且つ内枠の前面側で且つ下部箇所に配設された皿パネルとを備えている。
【０２８４】
この皿パネルは、その上側で横幅略全体にわたる箇所に、払い出された遊技球を貯留して遊技球発射装置へ案内する受皿部を備えている。また、この皿パネルは、その右下隅部箇所に、遊技者によって操作される発射ハンドルを備えており、遊技者による発射ハンドル操作量に応じた強さで遊技球が遊技盤の遊技領域に発射される（例えば、特許文献：特開２００９−２８４９４６号公報（第４−５頁，第１−２図）参照）。
【０２８５】
しかしながら、このような構成を有する従来例の場合には、次のような問題がある。
すなわち、従来のパチンコ機では、例えば皿パネルの右下隅部箇所に発射ハンドルが配設されているので、この発射ハンドルの配設箇所には、大型の立体的装飾物を配設することができない。
【０２８６】
また、発射ハンドルは、遊技者がハンドル操作し易いように、その大きさや皿パネルでの配置姿勢及び配置位置などが決められている。よって、発射ハンドル自体を従来の大きさよりも大幅に大きくしたりすることは、操作性の低下を招来するため、好ましくない。
【０２８７】
さらに、遊技機の正面視で発射ハンドルの周囲のうち上方から左側までの近傍箇所に受皿部が存在しているため、受皿部と発射ハンドルとの間に配設スペースは無く、受皿部と発射ハンドルとの間に、大型の立体的装飾物を配設することもできない。
【０２８８】
このように、遊技機正面視で皿パネルの発射ハンドル箇所に、大型の立体的装飾物を配設できないことから、遊技機の前面枠（例えば皿パネル）の設計自由度が制限されているという問題がある。
【０２８９】
以下の発明は、このような事情等に鑑みてなされたものであって、例えば発射ハンドルの操作性を損なうことなく発射ハンドル箇所に大型の立体的装飾物を配置でき、前面枠の設計自由度を向上できる遊技機を提供することを目的とする。
【０２９０】
（Ａ０）  遊技機の前面側での所定箇所に配設された、遊技球の発射のために遊技者によって操作される操作部と、
遊技者による前記操作部の操作に応じて遊技球が打ち込まれる遊技領域と、
を備える遊技機において、
前記操作部は、操作するために遊技者が触れる接触部を備え、
前記操作部よりも大きい立体的装飾物の立体的外形を形作る外形体部を備え、
前記外形体部は、
当該遊技機の正面視で前記接触部の周囲のうちで前記遊技領域側に形成された基面領域部と、
当該遊技機の正面視で前記基面領域部と前記遊技領域との間に形成された、当該遊技機の前方に向けて前記基面領域部よりも突出した突出領域部と、
を備えるとともに、
前記基面領域部と前記突出領域部とを用いて前記立体的装飾物の立体的外形が形作られていることを特徴とするものである。
【０２９１】
前記（Ａ０）に記載の発明によれば、操作部は、遊技機の前面側での所定箇所に配設されており、当該操作部の接触部が遊技球の発射のために遊技者によって接触操作される。遊技者による操作部の操作に応じて、遊技領域に遊技球が発射される。操作部よりも大きい立体的装飾物の立体的外形を形作る外形体部は、遊技機の正面視で接触部の周囲のうちで遊技領域側に形成された基面領域部と、当該遊技機の正面視で基面領域部と遊技領域との間に形成された、当該遊技機の前方に向けて基面領域部よりも突出した突出領域部とを用いて、立体的装飾物の立体的外形が形作られているので、操作部を含めた大型の立体的装飾物を配設することができる。
【０２９２】
また、外形体部の基面領域部は、遊技機の正面視で接触部の周囲のうちで遊技領域側に形成されているので、遊技者による接触部の接触を確保できる。
【０２９３】
また、外形体部の突出領域部は、遊技機の正面視で基面領域部と遊技領域との間に、当該遊技機の前方に向けて基面領域部よりも突出して形成されているので、大型の立体的装飾物とすることができ、前面枠の設計自由度を向上できる。
【０２９４】
なお、遊技球が打ち込まれる遊技領域を前面側に形成する遊技部品が配設される枠体と、前記枠体の前面側に位置する前面枠とを備え、前記操作部を前記前面枠または前記枠体に備える構成としてもよい。例えば、枠体に操作部を設けた構成では、前面枠は、枠体に対して開閉する際にこの枠体の操作部と接触しないように形成された切り欠き部や逃がし開口部を備える構成が挙げられる。
【０２９５】
また、操作部としては、レバー式、タッチ式、ボタン式などの操作部が挙げられる。また、操作部は、接触部としての操作するために遊技者に把持される把持部と、前記遊技機の前方に延出し、その延出側に前記把持部を支持する支持部とを備えたものとしてもよい。また、支持部は、遊技機の前方向以外の方向として、上方向、下方向、斜め方向などの種々の方向としてもよい。
【０２９６】
また、立体的装飾物は、例えば、当該遊技機の正面視で、前面枠における操作部の配設箇所を含む配設領域に備えるようにしてもよい。また、外形体部は、操作部の支持部における前面枠に近い基端側が挿入される被挿入部と、この被挿入部の周囲近傍箇所に形成された、支持部の延出高さよりも低い基面領域部と、当該遊技機の正面視で基面領域部よりも外側の所定領域に形成された、当該遊技機の前方に向けて突出した突出領域部としてもよい。
【０２９７】
また、操作部は、遊技球の発射力の調整のために遊技者によって操作される部分としてもよいし、遊技球の発射のために可動する可動部としてもよい。
【０２９８】
また、立体的装飾物は、その少なくとも一部が、正面視で操作部にかかるように（あるいは、重なる、位置する、属するように）配設してもよい。また、立体的装飾物を視認した状態で立体的装飾物が操作部よりも大きい場合としては、例えば、立体的装飾物の最外形が操作部のそれよりも長い場合や、立体的装飾物の面積や体積などが操作部のそれよりも大きい場合が挙げられる。
【０２９９】
（Ａ１）  遊技球が打ち込まれる遊技領域を前面側に形成する遊技部品が配設される枠体と、
前記枠体の前面側に位置する前面枠と、
前記前面枠の前面側での所定箇所に配設された、遊技球の発射のために遊技者によって操作される操作部と、
遊技者による前記操作部の操作量に応じて、前記遊技領域に遊技球を発射する遊技球発射装置と、
を備える遊技機において、
前記操作部は、操作するために遊技者に把持される把持部と、前記前面枠から前方に延出し、その延出側に前記把持部を支持する支持部とを備え、
前記前面枠は、当該遊技機の正面視で、前記操作部の配設箇所を含む配設領域に前記操作部よりも大きい立体的装飾物を備え、
前記立体的装飾物は、当該立体的装飾物の立体的外形を形作る外形体部を備え、
前記外形体部は、
前記支持部の前記前面枠に近い基端側が挿入される被挿入部と、
前記被挿入部の周囲近傍箇所に形成された、前記支持部の延出高さよりも低い基面領域部と、
当該遊技機の正面視で前記基面領域部よりも外側の所定領域に形成された、当該遊技機の前方に向けて突出した突出領域部と、
を備えていることを特徴とする遊技機。
【０３００】
前記（Ａ１）に記載の発明によれば、枠体は、遊技球が打ち込まれる遊技領域を前面側に形成する遊技部品が配設される。前面枠は、枠体の前面側に位置する。操作部は、前面枠の前面側での所定箇所に配設されており、遊技球の発射のために遊技者によって操作される。遊技球発射装置は、遊技者による操作部の操作量に応じて、遊技領域に遊技球を発射する。前面枠は、遊技機の正面視で、操作部の配設箇所を含む配設領域に、操作部よりも大きい立体的装飾物を備えている。この立体的装飾物の立体的外形を形作る外形体部は、その被挿入部に、操作部の支持部の前面枠に近い基端側が挿入されるので、操作部を含めた大型の立体的装飾物を配設することができる。
【０３０１】
また、外形体部の基面領域部は、被挿入部の周囲近傍箇所に支持部の延出高さよりも低く形成されているので、遊技者による把持部の把持を邪魔することがない。つまり、操作部の大きさや、操作部の前面枠における配置姿勢及び配置位置などを変更する必要が無く、操作部を従来の大きさよりも大幅に大きくしたりすることに起因する操作部の操作性の低下の問題も生じない。
【０３０２】
また、外形体部の突出領域部は、遊技機の正面視で基面領域部よりも外側の所定領域に、当該遊技機の前方に向けて突出して形成されているので、大型の立体的装飾物を配設することができ、前面枠の設計自由度を向上できる。したがって、操作部の操作性を損なうことなく操作部箇所に大型の立体的装飾物を配置でき、前面枠の設計自由度を向上できる遊技機を提供することができる。
【０３０３】
（Ａ２）  前記（Ａ１）に記載の遊技機において、
前記外形体部は、その裏面側空間を塞ぐように当該裏面側に取り付けられる裏面ベース部を備え、
前記裏面ベース部は、前記被挿入部に対応する箇所にベース用挿入孔を有するとともに、前記前面枠の前面側に取り付けられる
ことを特徴とする遊技機。
【０３０４】
前記（Ａ２）に記載の発明によれば、外形体部の裏面側は、裏面ベース部で塞がれているので、不正行為によって外形体部の内部に進入させた不正具を裏面ベース部で阻止することができ、立体的装飾物を狙った不正行為を低減できる。また、外形体部の裏面側に裏面ベース部が取り付けられているので、外形体部をその裏面側の裏面ベース部で補強することができ、外形体部に不正な力をかけて変形させることを低減できる。
【０３０５】
（Ａ３）  前記（Ａ２）に記載の遊技機において、
前記前面枠は、その前面側に、遊技者に払い出された遊技球を貯留して前記遊技球発射装置に案内するための皿部を備えるとともに、前記配設領域での所定箇所に、当該前面枠の後面側に位置する前記遊技球発射装置の発射位置に遊技球を１個ずつ送り出す球送出部を備え、
前記裏面ベース部は、前記前面枠の前記球送出部を覆う覆い部を備えている
ことを特徴とする遊技機。
【０３０６】
前記（Ａ３）に記載の発明によれば、遊技者に払い出された遊技球は、前面枠の前面側の皿部に貯留されて、当該前面枠の球送出部の方に案内される。そして、この球送出部によって、前面枠の後面側に位置する遊技球発射装置の発射位置に遊技球が１個ずつ送り出される。裏面ベース部の覆い部は、前面枠の球送出部を覆うので、立体的装飾物に不正具を挿入してこの球送出部から内枠１２の方に進入させる不正行為を低減できる。また、立体的装飾物の裏面ベースは、球送出部を覆う覆い部を備えているので、操作部のみならず球送出部も含めた、前面枠の配設領域に相当する大きさの立体的装飾物を当該前面枠に配設することができる。
【０３０７】
（Ａ４）  前記（Ａ０）から（Ａ３）のいずれか１つに記載の遊技機において、
前記基面領域部と前記突出領域部の少なくとも一方を発光させる発光手段を備えていることを特徴とする遊技機。
【０３０８】
前記（Ａ４）に記載の発明によれば、操作者によって操作される操作部の近傍周囲に位置する基面領域部や突出領域部が発光手段によって発光するので、この操作部を含む立体的装飾物が発光する演出を遊技者に提供することができる。例えば、操作部自体を発光させる構成の場合では、遊技者が操作部を把持することでこの操作部が手で覆われてしまうため、操作部自体の発光を遊技者が気付かないことがあるが、当該（Ａ４）の構成の場合では、操作部を含み当該操作部よりも大きい立体的装飾物が発光することで、遊技者の手元側の発光演出をより確実に遊技者に知らせることができ、立体的装飾物の発光態様によって遊技の変化や遊技演出等を効果的に遊技者に示唆することができる。
【０３０９】
（Ａ５）  前記（Ａ４）に記載の遊技機において、
前記操作部は、当該遊技機正面視で前記前面枠の前面側下部に位置し、
前記突出領域部は、前記立体的装飾物が前記前面枠の前記配設領域に取り付けられた状態において、当該遊技機の前方斜め上方向を向く光透過面部を備え、
前記発光手段は、前記突出領域部を発光させる第１発光手段であり、
前記第１発光手段は、前記光透過面部の前記前面枠側から光を照射する
ことを特徴とする遊技機。
【０３１０】
前記（Ａ５）に記載の発明によれば、操作部は、遊技機正面視で前面枠の前面側下部に位置している。立体的装飾物の突出領域部での光透過面部の前面枠側に第１発光手段からの光が照射され、遊技機の前方斜め上方向を向く光透過面部が発光するので、遊技者が遊技領域を見て遊技している状態においても、立体的装飾物の光透過面部の発光をその視界内に捕らえ易くでき、遊技者の手元に位置する立体的装飾物の発光態様で、遊技の変化や遊技演出等の示唆を行うことができる。
【０３１１】
（Ａ６）  前記（Ａ５）に記載の遊技機において、
前記第１発光手段が取り付けられる被取付領域を有するとともに、前記被取付領域の前記第１発光手段を前記光透過面部に対向させた状態で、前記突出領域部の内側箇所に取り付けられた補強部材
を備えていることを特徴とする遊技機。
【０３１２】
前記（Ａ６）に記載の発明によれば、補強部材は、第１発光手段が取り付けられる被取付領域を有するとともに、被取付領域の第１発光手段を光透過面部に対向させた状態で、突出領域部の内側箇所に取り付けられているので、突出領域部の光透過面部を発光させることができるのみならず、立体的装飾物の突出領域部を補強部材で補強支持することができ、立体的装飾物の強度をさらに向上させることができる。
【０３１３】
（Ａ７）  前記（Ａ１）に記載の遊技機において、
前記前面枠は、遊技者に払い出された遊技球を貯留して前記遊技球発射装置に案内する、当該前面枠の前方に突出形成された上皿部と、前記上皿部の下方に位置して当該前面枠の前方に突出形成された、遊技者に払い出された遊技球を貯留する下皿部と、を備え、
前記突出領域部は、その一部が、当該遊技機の正面視で前記上皿部と前記下皿部との間に入り込んで配設されている
ことを特徴とする遊技機。
【０３１４】
前記（Ａ７）に記載の発明によれば、遊技機の正面視で前面枠の上皿部と下皿部との間に、立体的装飾物の突出領域部の一部が入り込んで配設されているので、上皿部と下皿部との間に入り込ませない構成に比べて、その入り込み分だけさらに立体的装飾物を大型なものとすることができ、遊技機の正面視で前面枠の上皿部と下皿部との間のスペースも立体的装飾物の配置スペースとして有効活用することができる。
【０３１５】
（Ａ８）  前記（Ａ２）または（Ａ３）に記載の遊技機において、
前記裏面ベース部は、前記外形体部での前記前面枠に近い端部のうちの所定端部箇所の内面に近接するように当該内面に沿って突出した内接突壁部
を備えていることを特徴とする遊技機。
【０３１６】
前記（Ａ８）に記載の発明によれば、裏面ベース部の内接突壁部は、外形体部での前面枠に近い端部のうちの所定端部箇所の内面に近接するように当該内面に沿って突出しているので、立体的装飾物の外形体部と裏面ベース部との間に細状部材や薄板部材を不正に進入させようとしても内接突壁部でその進入を阻止することができ、立体的装飾物を通じての不正行為を低減できる。
【０３１７】
（Ａ９）  前記（Ａ３）に記載の遊技機において、
当該遊技機正面視で前記皿部と前記外形体部との境界箇所の奥側に、その境界を塞ぐ閉塞部材
を備えていることを特徴とする遊技機。
【０３１８】
前記（Ａ９）に記載の発明によれば、閉塞部材は、遊技機正面視で皿部と外形体部との境界箇所の奥側に設けられ、その境界を塞ぐので、立体的装飾物と皿部との境界箇所に、細状部材や薄板部材を不正に進入させようとしても閉塞部材でその進入を阻止することができ、立体的装飾物と皿部との境界箇所を通じての不正行為を低減できる。
【０３１９】
（Ａ１０）  前記（Ａ１）から（Ａ９）のいずれか一つに記載の遊技機において、
前記突出領域部は、その外形の一部を構成するものであって前記前面枠に近い端部箇所に取り付けられる取付外壁部を備え、
前記取付外壁部は、
その所定箇所に形成された窪み部と、
前記窪み部に押下可能に配設されて遊技者によって操作される、前記操作部とは別の押下操作部と、
その内面箇所に、前記突出領域部の内側に向けて延出形成された複数個のリブと、
を備えていることを特徴とする遊技機。
【０３２０】
前記（Ａ１０）に記載の発明によれば、取付外壁部は、突出領域部の外形の一部を構成するものであって、当該突出領域部の前面枠に近い端部箇所に取り付けられる。この取付外壁部は、その所定箇所に窪み部が形成されている。操作部とは別の押下操作部は、窪み部に押下可能に配設されており、遊技者によって操作される。したがって、押下操作部の押下方向には窪み部が存在しているので、押下操作部と突出壁部との間に細状部材や薄板部材を不正に進入させようとしても窪み部でその進入を阻止することができ、押下操作部を通じての不正行為を低減できる。
【０３２１】
また、取付外壁部は、その内面箇所に、突出領域部の内側に向けて延出形成された複数個のリブを備えているので、遊技者が押下操作部を押下操作することによる押下力によって突出壁部が変形することを低減できる。
【０３２２】
（Ａ１１）  前記（Ａ０）から（Ａ１０）のいずれか一つに記載の遊技機において、
前記遊技機はパチンコ機であることを特徴とする遊技機。
【０３２３】
前記（Ａ１１）に記載の遊技機によれば、操作部の操作性を損なうことなく操作部箇所に大型の立体的装飾物を配置でき、前面枠の設計自由度を向上できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特定遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０３２４】
＜第２課題＞
従来、遊技機の代表例として例えばパチンコ機がある。このパチンコ機は、例えば、島設備に設置される外枠と、この外枠に対して開閉可能に取り付けられた内枠と、この内枠に取り付けられた、遊技球が打ち込まれる遊技領域を前面側に有する遊技盤と、遊技領域が視認可能な透明板（例えばガラス板）を備えた、内枠の前面側で且つ下部箇所を除く上中部箇所に開閉可能に設けられたガラス枠と、このガラス枠の下方位置で且つ内枠の前面側で且つ下部箇所に配設された皿パネルとを備えている。
【０３２５】
この皿パネルは、その上側で横幅略全体にわたる箇所に、払い出された遊技球を貯留して遊技球発射装置へ案内する受皿部を備えている。また、この皿パネルは、その右下隅部箇所に、遊技者によって操作される発射ハンドルを備えており、遊技者による発射ハンドル操作量に応じた強さで遊技球が遊技盤の遊技領域に発射される（例えば、特許文献：特開２００９−２８４９４６号公報（第４−５頁，第１−２図）参照）。
【０３２６】
しかしながら、このような構成を有する従来例の場合には、次のような問題がある。
すなわち、従来のパチンコ機では、ガラス枠と、このガラス枠の正面視で下方位置の皿パネルとの間から細状の不正具が不正行為者によって不正に進入させられる虞があることから、そのような不正侵入を防止するために、ガラス枠と皿パネルとを一体化した前面扉を採用したものがある。しかしながら、このような前面扉においても、その受皿部を不正行為者が無理に手前に引っ張ることで、当該引っ張り箇所に近い前面扉及び透明板の箇所を前方に撓ませ、透明板と遊技盤との間に不正な遊技球通路を形成したり不正に球詰まりを生じさせたりする虞がある。
【０３２７】
本発明は、このような事情等に鑑みてなされたものであって、前面扉に無理な力を作用させることによる不正行為を低減できる遊技機を提供することを目的とする。
【０３２８】
（Ｂ１）  遊技球が打ち込まれる遊技領域を前面側に形成する遊技部品が配設される枠体と、
前記枠体の前面側に位置するとともに、正面視で前記遊技領域と重なる箇所に当該遊技領域が視認可能な視認部を有する前面枠と、
を備える遊技機において、
前記前面枠は、
その前面側で且つ前記視認部の周囲箇所のうちの所定範囲箇所に、前方に突出した前方突出部を備えるとともに、
その背面視で前記範囲箇所と重なる位置で且つ前記視認部に近い位置に、長状の補強部材をその長手方向が当該視認部に略沿わせるようにして配設されている
ことを特徴とする遊技機。
【０３２９】
前記（Ｂ１）に記載の発明によれば、枠体に配設された遊技部品の前面側に形成された遊技領域に遊技球が打ち込まれる。枠体の前面側に位置する前面枠の視認部を介して、遊技部品の遊技領域が視認可能である。また、前面枠の前面側で且つ視認部の周囲箇所のうちの所定範囲箇所には、前方に突出した前方突出部が設けられている。そして、長状の補強部材は、前面枠の背面視で前記範囲箇所と重なる位置で且つ視認部に近い位置に、その長手方向が当該視認部に略沿わせるようにして配設されているので、不正行為者が前方突出部を無理に手前に引っ張ったとしても、補強部材により、当該引っ張り箇所に近い前面枠及び視認部の箇所の前方への撓みを低減でき、視認部と遊技部品との間に不正な遊技球通路を形成することを低減でき、不正に球詰まりを生じさせることも低減できる。
【０３３０】
また、前方突出部が例えば払い出された遊技球を貯留し案内する球皿部を備える場合には、不正行為者が球皿部を操作するふりをして当該球皿部を強引に引っ張ったとしても、長状の補強部材によって、不正な撓みの発生を低減できることから、このような発見し辛い不正行為の抑止効果もある。
【０３３１】
その結果、前面枠に無理な力を作用させることによる不正行為を低減できる遊技機を提供することができる。
【０３３２】
（Ｂ２）  前記（Ｂ１）に記載の遊技機において、
前記前方突出部は、その平面視で複数個の山部を備えた形状であり、
前記長状の補強部材は、前記前面枠の背面視で前記範囲箇所と重なる位置であって前記複数個の山部の隣接箇所を含む位置で且つ前記視認部に近い位置に、その長手方向が当該視認部に略沿わせるようにして配設されている
ことを特徴とする遊技機。
【０３３３】
前記（Ｂ２）に記載の発明によれば、前方突出部は、その平面視で複数個の山部を備えた形状であるため、不正行為者が前方突出部を無理に手前に引っ張った場合には、引っ張った山部とこの山部に隣接する他の山部との境界箇所に前方への撓み力が生じ易くなる。そこで、長状の補強部材を、前面枠の背面視で前記範囲箇所と重なる位置であって複数個の山部の隣接箇所を含む位置で且つ視認部に近い位置に、その長手方向が当該視認部に略沿わせるようにして配設しているので、前方突出部を無理に手前に引っ張った場合であっても、補強部材により、前面枠での当該境界箇所の前方への撓みを低減でき、視認部と遊技部品との間に不正な遊技球通路を形成することを低減でき、不正に球詰まりを生じさせることも低減できる。
【０３３４】
（Ｂ３）  前記（Ｂ２）に記載の遊技機において、
前記前方突出部は、前記複数個の山部としての二個の山部を備えたものであり、
前記二個の山部の一方は、払い出された遊技球を貯留し案内する球皿部であり、
前記二個の山部の他方は、遊技球の発射のために遊技者によって操作される操作部を含む前記前面枠の配設領域に配設された、当該操作部よりも大きい立体的装飾物である
ことを特徴とする遊技機。
【０３３５】
前記（Ｂ３）に記載の発明によれば、前方突出部の一方の山部は、遊技球を貯留し案内する球皿部であり、その他方の山部は、遊技球の発射のために遊技者によって操作される操作部を含む前面枠の配設領域に配設された、当該操作部よりも大きい立体的装飾物である。したがって、球皿部と大型の立体的装飾物とが並設された前面枠を採用する場合であっても、前方突出部を無理に手前に引っ張られたとしても、補強部材により、前面枠での当該境界箇所の前方への撓みを低減でき、視認部と遊技部品との間に不正な遊技球通路を形成することを低減でき、不正に球詰まりを生じさせることも低減できる。
【０３３６】
（Ｂ４）  前記（Ｂ１）から（Ｂ３）のいずれか一つに記載の遊技機において、
前記前面枠は、その正面視で前記範囲箇所と重なる箇所に、当該箇所を略覆う大きさの補強金属板を、前記補強部材とは別に備えている
ことを特徴とする遊技機。
【０３３７】
前記（Ｂ４）に記載の発明によれば、前面枠の正面視で前記範囲箇所と重なる箇所に、当該箇所を略覆う大きさの補強金属板を、補強部材とは別に備えているので、前面枠の範囲箇所の撓みを低減できるとともに、前面枠の範囲箇所の一部を不正に溶解させて貫通させようとする不正行為を低減できる。
【０３３８】
（Ｂ５）  前記（Ｂ１）から（Ｂ４）のいずれか一つに記載の遊技機において、
前記視認部は、前記前面枠での正面視で前記遊技領域と重なる箇所に形成された開口部と、前記開口部を塞ぐようにして当該前面枠の背面側に取り付けられる透明板とを備え、
前記前面枠は、前記開口部を塞ぐように取り付けられた状態の前記透明板が当該開口部から離間するのを規制する規制部材を備え、
前記補強部材は、前記規制部材を前記前面枠との間に挟むように配設されている
ことを特徴とする遊技機。
【０３３９】
前記（Ｂ５）に記載の発明によれば、視認部は、前面枠での正面視で遊技領域と重なる箇所に形成された開口部と、この開口部を塞ぐようにして当該前面枠の背面側に取り付けられる透明板とを備えている。前面枠に備えられた規制部材は、開口部を塞ぐように取り付けられた状態の透明板が当該開口部から離間するのを規制する。そして、補強部材は、規制部材を前面枠との間に挟むように配設されているので、視認部を構成する透明板を奥方向に不正行為者が無理に押したとしても、規制部材の奥側への移動が補強部材により抑止され、透明板の開口部からの離間が抑止され、透明板と前面枠との間に不正な隙間が生じることを低減でき、その隙間から細状の不正具を進入させる不正行為を低減できる。
【０３４０】
（Ｂ６）  前記（Ｂ４）または（Ｂ５）に記載の遊技機において、
前記前方突出部は、払い出された遊技球を貯留し案内する球皿部を備えたものであり、
前記補強金属板は、接地されており、
前記補強部材は、金属製部材であり、前記補強金属板と電気的に接続されている
ことを特徴とする遊技機。
【０３４１】
前記（Ｂ６）に記載の発明によれば、前方突出部の球皿部に帯電した遊技球等の接触によって球皿部等が帯電した場合でも、補強部材は、金属製部材であり、接地された補強金属板と電気的に接続されているので、補強金属板や金属製の補強部材によって静電シールドすることができ、この前面枠の背面側に位置する枠体や、この枠体の背面側に位置し球皿部に近い制御基板（例えば主制御基板）等に静電誘導が生じることを低減でき、制御基板のノイズによる誤作動を低減できる。
【０３４２】
（Ｂ７）  前記（Ｂ１）から（Ｂ６）のいずれか一つに記載の遊技機において、
前記長状の補強部材は、前記前面枠に対向する長状の対向長状部と、この対向長状部から前記前面枠の前方向または後方向に延出した延出部とを備えている
ことを特徴とする遊技機。
【０３４３】
前記（Ｂ７）に記載の発明によれば、長状の補強部材は、前面枠に対向する長状の対向長状部と、この対向長状部から前面枠の前方向または後方向に延出した延出部とを備えているので、補強部材を長状としながらも剛性に優れたものとすることができる。また、前面枠の視認部の周囲近傍箇所には種々の部品などの配設が予定されているため、補強構造用の空きスペースを大きくとることが困難であるが、このような長状の補強部材であれば前面枠での僅かなスペースにも配設することができ、視認部またはその周辺箇所に不正な力をかけることによる不正行為を低減しつつ、前面枠の視認部の周囲部品の設計変更負担も低く抑えることができる。
【０３４４】
（Ｂ８）  前記（Ｂ３）または（Ｂ６）に記載の遊技機において、
前記前面枠は、その背面側に、払い出された遊技球を前記球皿部に案内する払い出し通路を有する通路部品を備え、
前記通路部品は、前記補強部材の少なくとも一部を覆うようにして前記前面枠の背面側に取り付けられている
ことを特徴とする遊技機。
【０３４５】
前記（Ｂ８）に記載の発明によれば、前面枠は、払い出された遊技球を球皿部に案内する払い出し通路を有する通路部品が、長状の補強部材の少なくとも一部を覆うように取り付けられているので、例えば、前面枠を枠体に対して開いた開状態にしても、長状の補強部材の少なくとも一部が通路部品で隠れており、通路部品を外さなければ補強部材を外すことができず、補強部材の不正な取り外しを低減できる。また、仮に通路部品が不正に取り外された場合には、通路部品がないため、遊技球が球皿部に案内されず、不正行為者は遊技球の払い出しを受けることができない。
【０３４６】
（Ｂ９）  前記（Ｂ１）から（Ｂ８）のいずれか一つに記載の遊技機において、
前記遊技機はパチンコ機であることを特徴とする遊技機。
【０３４７】
前記（Ｂ９）に記載の遊技機によれば、前面枠に無理な力を作用させることによる不正行為を低減できるパチンコ機を提供することができる。
【０３４８】
＜第３課題＞
従来、遊技機の代表例として例えばパチンコ機がある。このパチンコ機は、例えば、島設備に設置される外枠と、この外枠に対して開閉可能に取り付けられた内枠と、この内枠に取り付けられた、遊技球が打ち込まれる遊技領域を前面側に有する遊技盤と、遊技領域が視認可能な透明窓（例えばガラス部）を備えた、内枠の前面側で且つ下部箇所を除く上中部箇所に開閉可能に設けられたガラス枠と、このガラス枠の下方位置で且つ内枠の前面側で且つ下部箇所に配設された皿パネルとを備えている。
【０３４９】
この皿パネルは、その上側で横幅略全体にわたる箇所に、払い出された遊技球を貯留して遊技球発射装置へ案内する受皿部を備えている。また、この皿パネルは、その右下隅部箇所に、遊技者によって操作される発射ハンドルを備えており、遊技者による発射ハンドル操作量に応じた強さで遊技球が遊技盤の遊技領域に発射される（例えば、特許文献：特開２００９−２８４９４６号公報（第４−５頁，第１−２図）参照）。
【０３５０】
しかしながら、このような構成を有する従来例の場合には、次のような問題がある。
従来のパチンコ機では、例えば、ガラス枠は、遊技領域と同程度の大きさに形成された開口部を閉塞するように回動装着されるガラス部を備えている。具体的には、ガラス部は、ガラス枠の背面視で左端側（あるいは右端側）の縦方向回動軸を軸心としてガラス枠に対して回動可能に支持されており、ガラス枠の開口部を閉塞するように当該ガラス部を回動させてこの開口部に取り付けられる。
【０３５１】
しかしながら、ガラス枠の開口部とガラス部との隙間を低減させるために、ガラス部をガラス枠の開口部に嵌入する構成を採用しているが、例えばガラス部の軸部分が経年変化等により削れていたり、経年使用したガラス部を再利用したりする場合には、回動軸ズレを生じ、ガラス部がガラス枠の開口部に嵌り辛くなり、ガラス部のガラス枠への取り付けに手間取ることがある。
【０３５２】
また、前述した回動軸ズレが生じているとは知らずに、ガラス部をガラス枠に閉じると、回動軸ズレしたままでガラス部がガラス枠の開口部以外の箇所に衝突してしまい、その衝突箇所などが破損したりすることがある。
【０３５３】
以下の発明は、このような事情等に鑑みてなされたものであって、ガラス部のガラス枠への取り付け作業性に優れ、ガラス部をガラス枠に取り付ける際の部品の破損を低減できる遊技機を提供することを目的とする。
【０３５４】
（Ｃ１）  遊技球が打ち込まれる遊技領域を前面側に形成する遊技部品が配設される枠体と、
前記枠体の前面側で開閉可能に支持されるとともに、正面視で前記遊技領域と重なる箇所に当該遊技領域が視認可能な視認部を有する前面枠と、
を備える遊技機において、
前記視認部は、
前記前面枠の正面視で前記遊技領域と重なる箇所に形成された開口部と、
前記開口部を塞ぐようにして当該前面枠の背面側に取り付けられる透明板と、
前記前面枠の背面視で右端縦方向軸心または左端縦方向軸心を回動軸として前記透明板を回動可能に支持する支持部とを備え、
前記前面枠は、
前記透明板を前記回動軸周りに回動させて前記開口部に取り付ける際に前記透明板の下部が乗り上がり当該透明板を前記開口部に案内する乗り上げ案内手段を備えている
ことを特徴とする遊技機。
【０３５５】
前記（Ｃ１）に記載の発明によれば、枠体に配設された遊技部品の前面側に形成された遊技領域に遊技球が打ち込まれる。枠体の前面側で開閉可能に支持される前面枠の視認部を介して、遊技部品の遊技領域が視認可能である。また、視認部は、前面枠の正面視で遊技領域と重なる箇所に形成された開口部と、この開口部を塞ぐようにして当該前面枠の背面側に取り付けられる透明板と、前面枠の背面視で右端縦方向軸心または左端縦方向軸心を回動軸として透明板を回動可能に支持する支持部とを備えている。例えば、透明板の支持部の軸部分が経年変化等により削れたり、経年使用した透明板を再利用したりすることで、僅かな回動軸ズレが生じている場合には、透明板を回動軸周りに回動させて開口部に取り付ける際に、その透明板の下部が前面枠の乗り上げ案内手段に乗り上がり、当該透明板が開口部に案内されるので、このように可動軸ズレが生じている場合でも透明板を開口部に案内し易い。
【０３５６】
また、前述した回動軸ズレが生じているとは知らずに、透明板を前面枠に閉じても、透明板の下部が前面枠の乗り上げ案内手段に乗り上がり、当該透明板が開口部に案内されるので、透明板が前面枠の開口部以外の箇所（衝突を予定していない箇所）に衝突することが低減でき、前面枠や透明板の破損を低減できる。
【０３５７】
その結果、透明板の前面枠への取り付け作業性に優れ、透明板を前面枠に取り付ける際の部品の破損を低減できる遊技機を提供することができる。
【０３５８】
（Ｃ２）  前記（Ｃ１）に記載の遊技機において、
前記乗り上げ案内手段は、前記前面枠の前記開口部の周囲下部箇所に配設され、前記開口部に向けて上り勾配とした上り傾斜部を備えたものである
ことを特徴とする遊技機。
【０３５９】
前記（Ｃ２）に記載の発明によれば、乗り上げ案内手段の上り傾斜部は、前面枠の開口部の周囲下部箇所に配設され、開口部に向けて上り勾配としているので、透明板の下部が上り傾斜部に乗り上がって当該透明板を開口部に案内でき、回動軸ズレが生じた透明板をスムーズに開口部に案内することができる。
【０３６０】
（Ｃ３）  前記（Ｃ２）に記載の遊技機において、
前記遊技部品は、前記遊技領域の下部箇所に、遊技球を回収して当該遊技部品の背後側に排出するための回収貫通口を備え、
前記前面枠は、その背面側で前記開口部の周囲箇所に背面視で窪み形成された、前記透明板の周縁部が当接する窪み部を備え、
前記乗り上げ案内手段は、前記前面枠の背面視で前記窪み部の周囲箇所のうちの下部箇所に設けられ、当該下部箇所の縦断面視で当該上り傾斜部の上位部分が前記窪み部の下壁部よりも上方に突出するとともに、前記上り傾斜部の前記開口部側の端部には、前記窪み部の前記下壁部から当該上り傾斜部の頂上部までの高さの壁部を備えている
ことを特徴とする遊技機。
【０３６１】
前記（Ｃ３）に記載の発明によれば、遊技部品の遊技領域の下部箇所に備えられた回収貫通口は、遊技球を回収して当該遊技部品の背後側に排出する。透明板の開口部への取り付け状態では、前面枠の背面側で開口部の周囲箇所に背面視で窪み形成された窪み部に、透明板の周縁部が当接する。乗り上げ案内手段は、前面枠の背面視で窪み部の周囲箇所のうちの下部箇所に設けられ、当該下部箇所の縦断面視で上り傾斜部の上位部分が窪み部の下壁部よりも上方に突出するとともに、上り傾斜部の開口部側の端部には、窪み部の下壁部から上り傾斜部の頂上部までの高さの壁部が形成されているので、細状の不正具を遊技部品の回収貫通口に進入させる目的で、不正行為者が不正具を前面枠の開口部下部箇所と透明板との間に不正に進入させたとしても、この壁部により不正具の進入を低減できる。
【０３６２】
（Ｃ４）  前記（Ｃ２）または（Ｃ３）に記載の遊技機において、
前記上り傾斜部は、前記壁部の背面側に突出形成されたリブを、当該壁部の幅方向に間隔を空けて複数個並設するとともに、前記複数個のリブの各上部を前記開口部に向けて上り勾配としたものである
ことを特徴とする遊技機。
【０３６３】
前記（Ｃ４）に記載の発明によれば、上り傾斜部は、壁部の背面側に突出形成されたリブを、当該壁部の幅方向に間隔を空けて複数個並設するとともに、複数個のリブの各上部を開口部に向けて上り勾配としたものであるので、透明板の下部が複数個のリブの上部の上り勾配部分に乗り上がって当該透明板を開口部に案内でき、壁部の背面側に複数個のリブを並設しているので、壁部の強度を確保することができ、不正具を壁部の正面側に押し当てて強引に進入させようとする不正行為を低減できる。
【０３６４】
（Ｃ５）  前記（Ｃ１）から（Ｃ４）のいずれか一つに記載の遊技機において、
前記前面枠は、
その前面側で且つ前記視認部の周囲箇所のうちの所定範囲箇所に、前方に突出した前方突出部を備え、
その背面視で前記範囲箇所と重なる位置で且つ前記視認部に近い位置に、長状の補強部材をその長手方向が当該視認部に略沿わせるようにして配設されるとともに、
その背面側に、払い出された遊技球を前記球皿部に案内する払い出し通路を有する通路部品を、前記補強部材の少なくとも一部を覆うようにして取り付けられ、
前記乗り上げ案内手段は、前記通路部品の上部箇所に設けられている
ことを特徴とする遊技機。
【０３６５】
前記（Ｃ５）に記載の発明によれば、前面枠の前面側で且つ視認部の周囲箇所のうちの所定範囲箇所には、前方に突出した前方突出部が設けられている。そして、長状の補強部材は、前面枠の背面視で前記範囲箇所と重なる位置で且つ視認部に近い位置に、その長手方向が当該視認部に略沿わせるようにして配設されているので、不正行為者が前方突出部を無理に手前に引っ張ったとしても、補強部材により、当該引っ張り箇所に近い前面枠及び視認部の箇所の前方への撓みを低減でき、視認部と遊技部品との間に不正な遊技球通路を形成することを低減でき、不正に球詰まりを生じさせることも低減できる。
【０３６６】
また、払い出された遊技球を球皿部に案内する払い出し通路を有する通路部品は、前面枠の背面側で、補強部材の少なくとも一部を覆うようにして取り付けられているので、例えば、前面枠を枠体に対して開いた開状態にしても、長状の補強部材の少なくとも一部が通路部品で隠れており、通路部品を外さなければ補強部材を外すことができず、補強部材の不正な取り外しを低減できる。また、仮に通路部品が不正に取り外された場合には、通路部品がないため、遊技球が球皿部に案内されず、不正行為者は遊技球の払い出しを受けることができない。
【０３６７】
また、乗り上げ案内手段は、通路部品の上部箇所に設けられているので、通路部品を、透明板の開口部への案内手段としても有効活用することができ、乗り上げ案内手段を別部品とする必要がない。
【０３６８】
（Ｃ６）  前記（Ｃ１）から（Ｃ５）のいずれか一つに記載の遊技機において、
前記遊技機はパチンコ機であることを特徴とする遊技機。
【０３６９】
前記（Ｃ６）に記載の遊技機によれば、透明板の前面枠への取り付け作業性に優れ、透明板を前面枠に取り付ける際の部品の破損を低減できるパチンコ機を提供できる。
【０３７０】
＜第４課題＞
従来、遊技機の代表例として例えばパチンコ機がある。このパチンコ機は、例えば、当該パチンコ機の外殻を形成し遊技場（ホール）の遊技島に固定される正面視で矩形状の外枠と、この外枠の底板上で幅方向に亘って設けられた幕板と、外枠の正面視での左端側を開閉軸として外枠に対して幕板上で開閉可能に支持される可動枠と、この可動枠の略中央に形成された開口に、遊技球の流下する遊技領域が位置するように取り付けられる遊技盤と、を備えている。
【０３７１】
このようなパチンコ機では、例えば、幕板と可動枠との間に不正具を挿入して当該パチンコ機内部に進入させることを防ぐために、幕板の奥面側箇所にその横幅方向及び上方向に延びる進入防止壁を備えたものがある（例えば、特開２００４−１８７８５３号公報（第４頁，第４図）参照）。
【０３７２】
しかしながら、このような構成を有する従来例の場合には、次のような問題がある。
従来のパチンコ機では、例えば、可動枠の開閉の際などに、当該可動枠から幕板上に遊技球が落下することがあり、幕板上に遊技球がある状態で可動枠を閉じると、遊技球が可動枠と幕板上の進入防止壁とに挟まれてしまい、進入防止壁あるいは可動枠が破損するという問題がある。
【０３７３】
そこで、可動枠と幕板上の進入防止壁との間への遊技球の挟み込みを低減するために、進入防止壁の高さを遊技球が乗り越え可能に低くする（例えば、遊技球の直径の４分の１以下にする）ことが考えられるが、可動枠と幕板との隙間からの不正具の進入を低減できなくなってしまう。
【０３７４】
以下の発明は、このような事情等に鑑みてなされたものであって、第１部材（例えば幕板）と第２部材（例えば可動枠）との隙間からの不正具の進入を低減できるとともに、遊技球の挟み込みによる損傷を低減できる遊技機を提供することを目的とする。
【０３７５】
（Ｄ１）  遊技者に遊技を提供する遊技機において、
幅方向に亘って設けられた第１部材を有する被取付部品と、
前記被取付部品の前記第１部材上で当該被取付部品に対して開閉可能な第２部材と、
を備え、
前記第１部材は、閉状態の前記第２部材の一部が上方に位置される天面部に対して前記第２部材の閉鎖方向側であって閉状態の前記第２部材の裏面下部箇所と対向する位置において、幅方向及び上方向に延出した進入防止部を備え、
前記進入防止部または前記第２部材の少なくとも一方は、前記第２部材を閉じた状態において前記第１部材の前記天面部上の遊技球が入る遊技球許容空間部を備えている
ことを特徴とする遊技機。
【０３７６】
前記（Ｄ１）に記載の発明によれば、被取付部品の第１部材の天面部上に遊技球が存する状態において当該被取付部品に対して第２部材を閉じたとしても、この遊技球は、天面部上に形成された進入防止部の遊技球許容空間部に入るので、第２部材を閉じる際に遊技球が当該第２部材と進入防止部とに挟み込まれることがなく、遊技球の挟み込みによって第２部材あるいは進入防止部が破損することを低減できる。また、第２部材と第１部材の天面部との隙間から不正具を入れようとしても、進入防止部によってその進入を阻むことができ、第２部材と第１部材との隙間からの不正具の進入を低減できる。
【０３７７】
また、第２部材を被取付部品に対して閉じた状態において、第２部材と被取付部品の第１部材との間に剛性のある棒状部材を挿入してテコの原理等で第２部材を不正に持ち上げてその隙間に不正具を進入させる不正行為が懸念されるが、第２部材が被取付部品に閉じられた状態であるため、当該第２部材の持ち上げ高さは最大で例えば２、３ミリ程度であるのに対して、進入防止部の遊技球許容空間部は遊技球が入る大きさであることから、この進入防止部の高さは少なくとも遊技球の直径（例えば１１ミリ）よりも大きくすることができ、第２部材を不正に持ち上げて当該第２部材と第１部材の天面部との隙間から不正具を入れようとしても、進入防止部によってその進入を阻むことができ、第２部材と第１部材との隙間からの不正具の進入を低減できる。
【０３７８】
その結果、第１部材（例えば幕板）と第２部材（例えば可動枠）との隙間からの不正具の進入を低減できるとともに、遊技球の挟み込みによる損傷を低減できる遊技機を提供することができる。また、不正行為がされても第２部材と被取付部品間に隙間が生じないように第２部材と被取付部品との寸法精度を高めることが考えられるが、そうするとコスト高となるばかりでなく、少しでも歪が生じると第２部材の開閉に支障が生じることになる。これに対して、この発明に係る遊技機によれば、第２部材と被取付部品とにマージンを有していても不正防止できることから、寸法精度を必要以上に高める必要が無く、寸法精度向上によるコスト高を低減できる。
【０３７９】
（Ｄ２）  前記（Ｄ１）に記載の遊技機において、
前記被取付部品は、当該遊技機の正面視で前記天面部の一端側に、前記第２部材を開閉可能に軸支する軸支部を備えるとともに、前記天面部における前記一端側とは反対側の他端側に、閉状態の前記第２部材の下部で前記軸支部から遠い端部が当接する当接部を備え、
前記進入防止部は、当該遊技機の正面視で前記軸支部及び前記当接部を含むように前記被取付部品の内幅全範囲に亘るとともに上方向に延出し、
前記遊技球許容空間部は、前記第２部材を閉じた状態において前記軸支部及び前記当接部上の遊技球も許容する
ことを特徴とする遊技機。
【０３８０】
前記（Ｄ２）に記載の遊技機によれば、第２部材を軸支部を回動軸として第１部材に閉じる際には、第２部材の下部で前記軸支部から遠い端部が第１部材の当接部に当接するので、第１部材の摩耗劣化を低減できる。例えば、当接部を天面部よりも耐摩耗性のある部材（例えば金属製部材など）を採用しても良い。また、進入防止部が被取付部品の内幅全範囲に亘って形成されているので、第２部材と第１部材との隙間からの不正具の進入を阻むことができる。また、遊技球許容空間部は、第２部材を閉じた状態において軸支部及び当接部上の遊技球も許容するので、天面部、軸支部及び当接部上に遊技球が存する状態において第２部材を閉じたとしても、これらの遊技球は、遊技球許容空間部に入ることができ、天面部、軸支部及び当接部上の遊技球が遊技機の背後側に落下して貯まることを低減できる。
【０３８１】
（Ｄ３）  前記（Ｄ２）に記載の遊技機において、
前記当接部は、当該遊技機の前方側である先端側に、当該先端側に向けて下り傾斜した乗り上げ傾斜部を備え、
前記第２部材は、前記端部で前記閉鎖方向側に、前記乗り上げ傾斜部に接触可能な傾斜部を備えている
ことを特徴とする遊技機。
【０３８２】
前記（Ｄ３）に記載の遊技機によれば、第２部材を被取付部品に閉じた状態とする際に、第２部材の傾斜部が第１部材の乗り上げ傾斜部に乗り上がり案内されて第２部材が閉じられるので、第２部材を被取付部品にスムーズに閉じることができる。
【０３８３】
（Ｄ４）  前記（Ｄ１）から（Ｄ３）のいずれか一つに記載の遊技機において、
前記進入防止部は、前記第１部材に配設された接続部品を囲う囲い部と、前記接続部品の存在を示唆する示唆部とを備えている
ことを特徴とする遊技機。
【０３８４】
前記（Ｄ４）に記載の遊技機によれば、作業者は、進入防止部の示唆部を見ることで、第１部材に配設された接続部品を囲う囲い部での当該接続部品の存在に気付くことができ、第２部材を被取付部品に閉じる際などにおいて、接続部品などが損傷しないように注意して作業を行うことができる。
【０３８５】
（Ｄ５）  前記（Ｄ１）から（Ｄ４）に記載の遊技機において、
前記第１部材の前記天面部は、前記遊技球許容空間部の箇所に、当該遊技機の前面側に向けて下り傾斜となる傾斜面を備えている
ことを特徴とする遊技機。
【０３８６】
前記（Ｄ５）に記載の遊技機によれば、第１部材の天面部における遊技球許容空間部の箇所での傾斜面は、遊技機の前面側に向けて下り傾斜となっているので、遊技球許容空間部に入った遊技球は、第２部材が開けられると、その傾斜面によって遊技機前面側に自動的に排出されるため、遊技球許容空間部への遊技球の溜まり込みを解消できる。
【０３８７】
（Ｄ６）  前記（Ｄ１）から（Ｄ５）に記載の遊技機において、
前記進入防止部は、閉状態の前記第２部材の裏面下部箇所に対して少なくとも遊技球１個分の奥行き間隔を空けて立設された、前記第１部材の天面部の幅方向に延びる立設壁部と、この立設壁部より前記第２部材の開き方向に向けて当該第２部材に対して非接触に突出した、前記天面部に対して少なくとも遊技球１個分の高さ間隔を空けた突出板部とを備え、
前記遊技球許容空間部は、前記立設壁部と前記突出板部と前記第１部材の前記天面部とで囲われた空間である
ことを特徴とする遊技機。
【０３８８】
前記（Ｄ６）に記載の遊技機によれば、遊技球許容空間部は、立設壁部と突出板部と第１部材とで囲われた空間としているので、第２部材が勢いよく閉められたとしても、第１部材の天面部上の遊技球が突出板部で頭打ちされて遊技球許容空間部に止めることができる。つまり、第１部材の天面部上の遊技球が進入防止部を飛び越えることがなく、遊技球許容空間部に入った状態とすることができる。また、突出板部は、立設壁部から第２部材に向けられているので、この突出板部の先端と第２部材との間に不正具を進入させることが困難であり、第２部材（例えば可動枠）と第１部材との隙間からの不正具の進入をさらに低減できる。
【０３８９】
（Ｄ７）  前記（Ｄ６）に記載の遊技機において、
前記遊技球許容空間部を区分けする、前記突出板部と前記第１部材の前記天面部とを繋ぐ複数個の仕切部を、前記進入防止部の幅方向で所定の間隔を空けて設けている
ことを特徴とする遊技機。
【０３９０】
前記（Ｄ７）に記載の遊技機によれば、複数個の仕切部によって突出板部と第１部材の天面部とが繋がれているので、進入防止部に大きな力を加えることで当該進入防止部を撓ませて不正な隙間を作ることを低減できる。
【０３９１】
（Ｄ８）  前記（Ｄ７）に記載の遊技機において、
前記仕切部は、前記第２部材と対向する側である前方側が先細りとなっていることを特徴とする遊技機。
【０３９２】
前記（Ｄ８）に記載の遊技機によれば、仕切部は、第２部材と対向する側である前方側が先細りとなっているので、第１部材の天面部上の遊技球が丁度仕切部に位置していたとしても、遊技球をその先細り部分で左右に振り分けることができ、かかる遊技球を仕切部と第２部材とで挟み込むことを低減できる。
【０３９３】
（Ｄ９）  前記（Ｄ１）に記載の遊技機において、
前記第２部材は、その裏面下部箇所で前記進入防止部と対向する箇所に、少なくとも遊技球１個分の奥行き深さ及び高さで切り欠かれた、前記第１部材の幅方向に亘る切欠部を備え、
前記遊技球許容空間部は、前記切欠部と前記第１部材とで囲われた空間であり、
前記進入防止部は、前記切欠部よりも高くなっている
ことを特徴とする遊技機。
【０３９４】
前記（Ｄ９）に記載の遊技機によれば、第２部材は、その裏面下部箇所で進入防止部と対向する箇所に、少なくとも遊技球１個分の奥行き深さ及び高さで切り欠かれた、第１部材の幅方向に亘る切欠部を備えている。遊技球許容空間部は、切欠部と第１部材の天面部とで囲われた空間である。進入防止部は、切欠部よりも高くなっている。したがって、第２部材が勢いよく閉められたとしても、第１部材の天面部上の遊技球が第２部材の切欠部の内側上部箇所で頭打ちされて遊技球許容空間部に止めることができる。つまり、第１部材の天面部上の遊技球が進入防止部を飛び越えることがなく、遊技球許容空間部に入った状態とすることができる。
【０３９５】
なお、本明細書中で言う「切欠部」とは、実際に第２部材の裏面下部箇所で進入防止部と対向する箇所を切り取って形成したものであってもよいが、第２部材の形成とともに当該第２部材の該当箇所にへこみ部を形成したものであってもよい。例えば、第２部材のための金型は予め切欠部を形成するための形状を有しており、この金型に樹脂を充填して、金型を取り外すと第２部材の完成とともに切欠部（へこみ部）も形成されていることが挙げられる。
【０３９６】
（Ｄ１０）  前記（Ｄ９）に記載の遊技機において、
前記遊技球許容空間部を区分けする、当該進入防止部と前記第１部材の前記天面部とを繋ぐ複数個の仕切部を、前記進入防止部の幅方向で所定の間隔を空けて設けている
ことを特徴とする遊技機。
【０３９７】
前記（Ｄ１０）に記載の遊技機によれば、複数個の仕切部は、遊技球許容空間部を区分けするとともに、当該進入防止部と第１部材の天面部とを繋ぐものであり、進入防止部の幅方向で所定の間隔を空けて複数個の仕切部が設けられている。したがって、複数個の仕切部によって進入防止部と第１部材の天面部とが繋がれているので、進入防止部に大きな力を加えることで当該進入防止部を撓ませて不正な隙間を作ることを低減できる。
【０３９８】
（Ｄ１１）  前記（Ｄ１０）に記載の遊技機において、
前記仕切部は、前記第２部材と対向する側である前方側が先細りとなっていることを特徴とする遊技機。
【０３９９】
前記（Ｄ１１）に記載の遊技機によれば、仕切部は、第２部材と対向する側である前方側が先細りとなっているので、第１部材の天面部上の遊技球が丁度仕切部に位置していたとしても、遊技球をその先細り部分で左右に振り分けることができ、かかる遊技球を仕切部と第２部材とで挟み込むことを低減できる。
【０４００】
（Ｄ１２）  前記（Ｄ１）から（Ｄ１１）のいずれか一つに記載の遊技機において、
前記遊技機はパチンコ機であることを特徴とする遊技機。
【０４０１】
前記（Ｄ１２）に記載の遊技機によれば、第１部材（例えば幕板）と第２部材（例えば可動枠）との隙間からの不正具の進入を低減できるとともに、遊技球の挟み込みによる損傷を低減できるパチンコ機を提供できる。
【０４０２】
なお、本明細書に開示する種々の発明に関して、全ての構成要素について種々の組み合わせが可能であり、他の構成要件がなくても単独で発明として成立する点に留意されたい。
【産業上の利用可能性】
【０４０３】
以上のように、この発明は、パチンコ機等の遊技機に適している。
【符号の説明】
【０４０４】
１１  …外枠（被取付部品）
１２  …内枠（枠体、第２部材）
１２ｃ…案内傾斜面（傾斜部）
１４  …前面枠セット（前面枠）
１５  …下皿（下皿部）
１８  …遊技球発射ハンドル（操作部）
１９  …上皿（山部、皿部，上皿部）
１９ａ…閉塞突起部（閉塞部材）
２５  …大型立体キャラクタ部（立体的装飾物）
３０  …遊技盤（遊技部品）
３０ａ…遊技領域
１０１  …窓部（視認部）
１０１ａ…開口部
１０２  …環状窪み領域部（窪み部）
１３０  …前方突出部
１４０  …ガラスユニット（透明板）
１５０  …ユニット支持部（支持部）
１７０  …下部止め部（規制部材）
１８０  …補強棒（補強部材）
１９０  …球皿払出通路部品（通路部品）
１９１  …払出通路部（払い出し通路）
１９２  …乗り上げ案内部（乗り上げ案内手段）
２４０  …固定側ケース部（支持部）
２４２  …ハンドル部（把持部）
４００  …外形本体（山部、外形体部）
４０２  …挿入切欠部（被挿入部）
４０４  …基面体部（基面領域部）
４０６  …突出体部（突出領域部）
４０６ａ…円形開口部（被取付領域）
４０７  …上部外壁部（取付外壁部）
４０９  …押しボタン部（押下操作部）
４２０  …取付ベース（裏面ベース部）
４２２  …ベース用挿入孔
４２４  …被覆壁部（覆い部）
４３０  …第１特定部位発光部（発光手段、第１発光手段）
４３２  …円盤状部材（光透過面部）
４４０  …第２特定部位発光部（発光手段）
４５０  …補強取付台（補強体）
５１０  …幕板（第１部材）
５３０  …天板部（天面部）
５３１  …傾斜面
５３２  …仕切壁（仕切部）
５４０  …進入防止壁部品（進入防止部）
５４１  …奥壁部（立設壁部）
５４２  …突出上板（突出板部）
５４３  …囲い壁部（囲い部）
５４７  …注意シール部（示唆部）
５５０  …遊技球許容空間（遊技球許容空間部）
５６１，５６２…コネクタ部（接続部品）
５７０  …金属軸支板（軸支部）
５７２ａ…乗り上げ傾斜面（乗り上げ傾斜部）
【図１】
2020185425.tif 000003
【図２】
2020185425.tif 000004
【図３】
2020185425.tif 000005
【図４】
2020185425.tif 000006
【図５】
2020185425.tif 000007
【図６】
2020185425.tif 000008
【図７】
2020185425.tif 000009
【図８】
2020185425.tif 000010
【図９】
2020185425.tif 000011
【図１０】
2020185425.tif 000012
【図１１】
2020185425.tif 000013
【図１２】
2020185425.tif 000014
【図１３】
2020185425.tif 000015
【図１４】
2020185425.tif 000016
【図１５】
2020185425.tif 000017
【図１６】
2020185425.tif 000018
【図１７】
2020185425.tif 000019
【図１８】
2020185425.tif 000020
【図１９】
2020185425.tif 000021
【図２０】
2020185425.tif 000022
【図２１】
2020185425.tif 000023
【図２２】
2020185425.tif 000024
【図２３】
2020185425.tif 000025
【図２４】
2020185425.tif 000026
【図２５】
2020185425.tif 000027
【図２６】
2020185425.tif 000028
【図２７】
2020185425.tif 000029
【図２８】
2020185425.tif 000030
【図２９】
2020185425.tif 000031
【図３０】
2020185425.tif 000032
【図３１】
2020185425.tif 000033
【図３２】
2020185425.tif 000034
【図３３】
2020185425.tif 000035
【図３４】
2020185425.tif 000036
【図３５】
2020185425.tif 000037
【図３６】
2020185425.tif 000038
【図３７】
2020185425.tif 000039
【図３８】
2020185425.tif 000040
【図３９】
2020185425.tif 000041
【図４０】
2020185425.tif 000042
【図４１】
2020185425.tif 000043
【図４２】
2020185425.tif 000044
【図４３】
2020185425.tif 000045
【図４４】
2020185425.tif 000046
【図４５】
2020185425.tif 000047
【図４６】
2020185425.tif 000048
【図４７】
2020185425.tif 000049
【図４８】
2020185425.tif 000050
【図４９】
2020185425.tif 000051
【図５０】
2020185425.tif 000052
【図５１】
2020185425.tif 000053
【図５２】
2020185425.tif 000054
【図５３】
2020185425.tif 000055